(57)【要約】  本開示は、アップリンク制御チャネルの送信方法、受信方法、装置、端末及び基地局を提供する。当該送信方法において、フィードバック対象のアップリンク制御情報を送信する複数の目標スロットを特定することと、前記目標スロットで前記フィードバック対象のアップリンク制御情報を搬送するアップリンク制御チャネルの伝送長またはフォーマットを取得し、ここで、各前記目標スロットでアップリンク制御チャネルの伝送長またはフォーマットが同じであることと、特定された前記アップリンク制御チャネルの伝送長またはフォーマットにしたがって、前記フィードバック対象のアップリンク制御情報を搬送するアップリンク制御チャネルを各前記目標スロットで送信することと、を含む。【選択図】  図１
2020523884.tif 000002
【特許請求の範囲】
【請求項１】
アップリンク制御チャネルの送信方法において、
フィードバック対象のアップリンク制御情報を送信する複数の目標スロットを特定することと、
ここで、前記フィードバック対象のアップリンク制御情報が、前記目標スロットでアップリンク制御チャネルによって送信され、
前記目標スロットで前記フィードバック対象のアップリンク制御情報を搬送するアップリンク制御チャネルの伝送長またはフォーマットを取得することと、
ここで、各前記目標スロットでアップリンク制御チャネルの伝送長またはフォーマットが同じであり、
特定された前記アップリンク制御チャネルの伝送長またはフォーマットにしたがって、前記フィードバック対象のアップリンク制御情報を搬送するアップリンク制御チャネルを各前記目標スロットで送信することと、
を含む、アップリンク制御チャネルの送信方法。
【請求項２】
前記のフィードバック対象のアップリンク制御情報を送信する複数の目標スロットを特定することは、
予め定義された複数の目標スロットの情報に基づいて、フィードバック対象のアップリンク制御情報を送信する複数の目標スロットを特定すること、または、
ハイレイヤシグナリングで設定される複数の目標スロットの情報に基づいて、フィードバック対象のアップリンク制御情報を送信する複数の目標スロットを特定すること、または、
所定のダウンリンク制御チャネルで送信される複数の目標スロットの情報を受信し、フィードバック対象のアップリンク制御情報を送信する複数の目標スロットを特定すること、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
を含む、請求項１に記載の方法。
【請求項３】
前記の前記目標スロットで前記フィードバック対象のアップリンク制御情報を搬送するアップリンク制御チャネルの伝送長またはフォーマットを取得することは、
予めの定義に基づいて、前記目標スロットで前記フィードバック対象のアップリンク制御情報を搬送するアップリンク制御チャネルの伝送長またはフォーマットを取得すること、または、
ハイレイヤシグナリングの設定に基づいて、前記目標スロットで前記フィードバック対象のアップリンク制御情報を搬送するアップリンク制御チャネルの伝送長またはフォーマットを特定すること、または、
所定のダウンリンク制御チャネルの中の指示フィールドに基づいて、前記目標スロットで前記フィードバック対象のアップリンク制御情報を搬送するアップリンク制御チャネルの伝送長またはフォーマットを特定すること、または、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定すること、
を含む、請求項１に記載の方法。
【請求項４】
前記の特定された前記アップリンク制御チャネルの伝送長またはフォーマットにしたがって、前記フィードバック対象のアップリンク制御情報を搬送するアップリンク制御チャネルを各前記目標スロットで送信することは、
特定された前記アップリンク制御チャネルの伝送長またはフォーマットに基づいて、前記アップリンク制御チャネルの中のアップリンク制御情報と参照信号の伝送構造を特定することと、
前記伝送構造に基づいて、前記フィードバック対象のアップリンク制御情報と参照信号を搬送する前記アップリンク制御チャネルを各前記目標スロットで送信することと、
を含む、請求項１に記載の方法。
【請求項５】
所定のダウンリンク制御チャネルで送信される１つまたは複数の目標スロットで前記アップリンク制御チャネルの開始位置および／または終了位置を受信すること、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
および／または、
予め取り決められたルールに基づいて、１つまたは複数の目標スロットで前記アップリンク制御チャネルの開始位置および／または終了位置を特定すること、
をさらに含む、請求項４に記載の方法。
【請求項６】
前記の前記フィードバック対象のアップリンク制御情報を搬送するアップリンク制御チャネルを各前記目標スロットで送信することは、
前記フィードバック対象のアップリンク制御情報の大きさが第１所定値以下である場合、前記フィードバック対象のアップリンク制御情報を変調して変調シンボルを得、前記変調シンボルを搬送するアップリンク制御チャネルを各前記目標スロットで繰り返して送信することと、
前記フィードバック対象のアップリンク制御情報の大きさが前記第１所定値より大きい場合、前記アップリンク制御チャネルで前記アップリンク制御情報を搬送するシンボル数に基づいて、前記フィードバック対象のアップリンク制御情報に対しチャネル符号化およびレートマッチングを行って符号化後の第１ビットシーケンスを得、前記第１ビットシーケンスを搬送するアップリンク制御チャネルを各前記目標スロットで繰り返して送信し、または、前記フィードバック対象のアップリンク制御情報の大きさが前記第１所定値より大きい場合、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って符号化後の第２ビットシーケンスを得、目標スロットに対応する第２ビットシーケンスのサブビットシーケンスを搬送するアップリンク制御チャネルを各前記目標スロットで送信することと、
を含む、請求項１に記載の方法。
【請求項７】
アップリンク制御チャネルの受信方法において、
フィードバック対象のアップリンク制御情報を送信する複数の目標スロットを特定することと、
ここで、前記フィードバック対象のアップリンク制御情報が、前記目標スロットでアップリンク制御チャネルによって送信され、
前記目標スロットで前記フィードバック対象のアップリンク制御情報を搬送するアップリンク制御チャネルの伝送長またはフォーマットを取得することと、
ここで、各前記目標スロットでアップリンク制御チャネルの伝送長またはフォーマットが同じであり、
特定された前記アップリンク制御チャネルの伝送長またはフォーマットにしたがって、前記フィードバック対象のアップリンク制御情報を搬送するアップリンク制御チャネルを各前記目標スロットで受信することと、
を含む、アップリンク制御チャネルの受信方法。
【請求項８】
前記のフィードバック対象のアップリンク制御情報を送信する複数の目標スロットを特定することは、
予め定義された複数の目標スロットの情報に基づいて、フィードバック対象のアップリンク制御情報を送信する複数の目標スロットを特定すること、
を含む、請求項７に記載の方法。
【請求項９】
前記のフィードバック対象のアップリンク制御情報を送信する複数の目標スロットを特定することの後に、
前記複数の目標スロットの情報を、ハイレイヤシグナリングまたは所定のダウンリンク制御チャネルで端末に送信することを含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである、請求項７に記載の方法。
【請求項１０】
前記の前記目標スロットで前記フィードバック対象のアップリンク制御情報を搬送するアップリンク制御チャネルの伝送長またはフォーマットを取得することは、
予めの定義に基づいて、前記目標スロットで前記フィードバック対象のアップリンク制御情報を搬送するアップリンク制御チャネルの伝送長またはフォーマットを取得すること、または、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定すること、
を含む、請求項７に記載の方法。
【請求項１１】
前記の前記目標スロットで前記フィードバック対象のアップリンク制御情報を搬送するアップリンク制御チャネルの伝送長またはフォーマットを取得することの後に、
前記目標スロットで前記フィードバック対象のアップリンク制御情報を搬送するアップリンク制御チャネルの伝送長またはフォーマットを、ハイレイヤシグナリングまたは所定のダウンリンク制御チャネルで端末に送信することをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである、請求項７に記載の方法。
【請求項１２】
前記の特定された前記アップリンク制御チャネルの伝送長またはフォーマットにしたがって、前記フィードバック対象のアップリンク制御情報を搬送するアップリンク制御チャネルを各前記目標スロットで受信することは、
特定された前記アップリンク制御チャネルの伝送長またはフォーマットに基づいて、前記アップリンク制御チャネルの中のアップリンク制御情報と参照信号の伝送構造を特定することと、
前記伝送構造に基づいて、前記フィードバック対象のアップリンク制御情報と参照信号を搬送する前記アップリンク制御チャネルを各前記目標スロットで受信することと、
を含む、請求項７に記載の方法。
【請求項１３】
予め取り決められたルールに基づいて、１つまたは複数の目標スロットで前記アップリンク制御チャネルの開始位置および／または終了位置を特定することをさらに含む、請求項１２に記載の方法。
【請求項１４】
特定された１つまたは複数の目標スロットで前記アップリンク制御チャネルの開始位置および／または終了位置を、所定のダウンリンク制御チャネルで端末に送信することをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである、請求項１２に記載の方法。
【請求項１５】
前記の前記フィードバック対象のアップリンク制御情報を搬送するアップリンク制御チャネルを各前記目標スロットで受信することは、
前記フィードバック対象のアップリンク制御情報の大きさが第１所定値以下である場合、端末が前記フィードバック対象のアップリンク制御情報を変調して得た変調シンボルを搬送するアップリンク制御チャネルを各前記目標スロットで受信することと、
前記フィードバック対象のアップリンク制御情報の大きさが前記第１所定値より大きい場合、第１ビットシーケンスを搬送するアップリンク制御チャネルを各前記目標スロットで受信し、または、前記フィードバック対象のアップリンク制御情報の大きさが前記第１所定値より大きい場合、目標スロットに対応する第２ビットシーケンスのサブビットシーケンスを搬送するアップリンク制御チャネルを各前記目標スロットで受信することと、
を含み、
ここで、前記第１ビットシーケンスは、端末が、前記アップリンク制御チャネルで前記アップリンク制御情報を搬送するシンボル数に基づいて、前記フィードバック対象のアップリンク制御情報に対しチャネル符号化およびレートマッチングを行って得た符号化後のビットシーケンスであり、
前記第２ビットシーケンスは、端末が、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って得た符号化後のビットシーケンスである、請求項７に記載の方法。
【請求項１６】
前記の特定された前記アップリンク制御チャネルの伝送長またはフォーマットにしたがって、前記フィードバック対象のアップリンク制御情報を搬送するアップリンク制御チャネルを各前記目標スロットで受信した後に、
前記フィードバック対象のアップリンク制御情報を前記アップリンク制御チャネルから取得することをさらに含む、請求項１５に記載の方法。
【請求項１７】
前記の前記フィードバック対象のアップリンク制御情報を前記アップリンク制御チャネルから取得することは、
前記フィードバック対象のアップリンク制御情報の大きさが第１所定値以下である場合、各前記目標スロットで受信した変調シンボルを合併し、合併後の変調シンボルに基づいて、前記フィードバック対象のアップリンク制御情報を特定することと、
前記フィードバック対象のアップリンク制御情報の大きさが第１所定値より大きい場合、各前記目標スロットで受信した第１ビットシーケンスを合併し、合併後の第１ビットシーケンスを復号して前記フィードバック対象のアップリンク制御情報を特定し、または、各前記目標スロットで受信した変調シンボルシーケンスであって第１ビットシーケンスに対応する変調シンボルシーケンスを合併し、合併後の変調シンボルシーケンスに基づいて第１ビットシーケンスを得、前記第１ビットシーケンスを復号して前記フィードバック対象のアップリンク制御情報を特定し、または、各前記目標スロットで受信した第２ビットシーケンスのサブシーケンスをカスケード接続して第２ビットシーケンスを得、前記第２ビットシーケンスを復号して前記フィードバック対象のアップリンク制御情報を特定することと、
を含む、請求項１６に記載の方法。
【請求項１８】
第１特定モジュールと、第１取得モジュールと、送信モジュールとを含むアップリンク制御チャネルの送信装置において、
第１特定モジュールは、フィードバック対象のアップリンク制御情報を送信する複数の目標スロットを特定し、
ここで、前記フィードバック対象のアップリンク制御情報が、前記目標スロットでアップリンク制御チャネルによって送信され、
第１取得モジュールは、前記目標スロットで前記フィードバック対象のアップリンク制御情報を搬送するアップリンク制御チャネルの伝送長またはフォーマットを取得し、
ここで、各前記目標スロットでアップリンク制御チャネルの伝送長またはフォーマットが同じであり、
送信モジュールは、特定された前記アップリンク制御チャネルの伝送長またはフォーマットにしたがって、前記フィードバック対象のアップリンク制御情報を搬送するアップリンク制御チャネルを各前記目標スロットで送信する、アップリンク制御チャネルの送信装置。
【請求項１９】
前記第１特定モジュールは、
予め定義された複数の目標スロットの情報に基づいて、フィードバック対象のアップリンク制御情報を送信する複数の目標スロットを特定する第１特定サブモジュール、および／または、
ハイレイヤシグナリングで設定される複数の目標スロットの情報に基づいて、フィードバック対象のアップリンク制御情報を送信する複数の目標スロットを特定する第２特定サブモジュール、および／または、
所定のダウンリンク制御チャネルで送信される複数の目標スロットの情報を受信し、フィードバック対象のアップリンク制御情報を送信する複数の目標スロットを特定する第３特定サブモジュール、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
を含む、請求項１８に記載の装置。
【請求項２０】
前記第１取得モジュールは、
予めの定義に基づいて、前記目標スロットで前記フィードバック対象のアップリンク制御情報を搬送するアップリンク制御チャネルの伝送長またはフォーマットを取得する第１取得サブモジュール、および／または、
ハイレイヤシグナリングの設定に基づいて、前記目標スロットで前記フィードバック対象のアップリンク制御情報を搬送するアップリンク制御チャネルの伝送長またはフォーマットを特定する第２取得サブモジュール、および／または、
所定のダウンリンク制御チャネルの中の指示フィールドに基づいて、前記目標スロットで前記フィードバック対象のアップリンク制御情報を搬送するアップリンク制御チャネルの伝送長またはフォーマットを特定する第３取得サブモジュール、および／または、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定する第４取得サブモジュール、
を含む、請求項１８に記載の装置。
【請求項２１】
前記送信モジュールは、
特定された前記アップリンク制御チャネルの伝送長またはフォーマットに基づいて、前記アップリンク制御チャネルの中のアップリンク制御情報と参照信号の伝送構造を特定する構造特定サブモジュールと、
前記伝送構造に基づいて、前記フィードバック対象のアップリンク制御情報と参照信号を搬送する前記アップリンク制御チャネルを各前記目標スロットで送信する第１送信サブモジュールと、
を含む、請求項１８に記載の装置。
【請求項２２】
所定のダウンリンク制御チャネルで送信される１つまたは複数の目標スロットで前記アップリンク制御チャネルの開始位置および／または終了位置を受信する第１位置特定モジュール、および／または、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
予め取り決められたルールに基づいて、１つまたは複数の目標スロットで前記アップリンク制御チャネルの開始位置および／または終了位置を特定する第２位置特定モジュール、
をさらに含む、請求項２１に記載の装置。
【請求項２３】
前記送信モジュールは、
前記フィードバック対象のアップリンク制御情報の大きさが第１所定値以下である場合、前記フィードバック対象のアップリンク制御情報を変調して変調シンボルを得、前記変調シンボルを搬送するアップリンク制御チャネルを各前記目標スロットで繰り返して送信する第２送信サブモジュールと、
前記フィードバック対象のアップリンク制御情報の大きさが前記第１所定値より大きい場合、前記アップリンク制御チャネルで前記アップリンク制御情報を搬送するシンボル数に基づいて、前記フィードバック対象のアップリンク制御情報に対しチャネル符号化およびレートマッチングを行って符号化後の第１ビットシーケンスを得、前記第１ビットシーケンスを搬送するアップリンク制御チャネルを各前記目標スロットで繰り返して送信し、または、前記フィードバック対象のアップリンク制御情報の大きさが前記第１所定値より大きい場合、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って符号化後の第２ビットシーケンスを得、目標スロットに対応する第２ビットシーケンスのサブビットシーケンスを搬送するアップリンク制御チャネルを各前記目標スロットで送信する第３送信サブモジュールと、
を含む、請求項１８に記載の装置。
【請求項２４】
プロセッサと、メモリと、前記メモリに記憶されて前記プロセッサで実行可能なコンピュータプログラムを含む端末において、
前記コンピュータプログラムが前記プロセッサによって実行されると、請求項１〜６のいずれか一項に記載のアップリンク制御チャネルの送信方法のステップが実現される、端末。
【請求項２５】
コンピュータプログラムが記憶されているコンピュータ読み取り可能な記憶媒体であって、
前記コンピュータプログラムがプロセッサによって実行されると、請求項１〜６のいずれか一項に記載のアップリンク制御チャネルの送信方法のステップが実現される、コンピュータ読み取り可能な記憶媒体。
【請求項２６】
第２特定モジュールと、第２取得モジュールと、受信モジュールとを含むアップリンク制御チャネルの受信装置において、
第２特定モジュールは、フィードバック対象のアップリンク制御情報を送信する複数の目標スロットを特定し、
ここで、前記フィードバック対象のアップリンク制御情報が、前記目標スロットでアップリンク制御チャネルによって送信され、
第２取得モジュールは、前記目標スロットで前記フィードバック対象のアップリンク制御情報を搬送するアップリンク制御チャネルの伝送長またはフォーマットを取得し、
ここで、各前記目標スロットでアップリンク制御チャネルの伝送長またはフォーマットが同じであり、
受信モジュールは、特定された前記アップリンク制御チャネルの伝送長またはフォーマットにしたがって、前記フィードバック対象のアップリンク制御情報を搬送するアップリンク制御チャネルを各前記目標スロットで受信する、アップリンク制御チャネルの受信装置。
【請求項２７】
前記第２特定モジュールは、
予め定義された複数の目標スロットの情報に基づいて、フィードバック対象のアップリンク制御情報を送信する複数の目標スロットを特定する第４特定サブモジュールを含む、請求項２６に記載の装置。
【請求項２８】
前記複数の目標スロットの情報を、ハイレイヤシグナリングまたは所定のダウンリンク制御チャネルで端末に送信する第１情報送信モジュールをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである、請求項２６に記載の装置。
【請求項２９】
前記第２取得モジュールは、
予めの定義に基づいて、前記目標スロットで前記フィードバック対象のアップリンク制御情報を搬送するアップリンク制御チャネルの伝送長またはフォーマットを取得する第５取得サブモジュール、または、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定する第６取得サブモジュール、
を含む、請求項２６に記載の装置。
【請求項３０】
前記目標スロットで前記フィードバック対象のアップリンク制御情報を搬送するアップリンク制御チャネルの伝送長またはフォーマットを、ハイレイヤシグナリングまたは所定のダウンリンク制御チャネルで端末に送信する第２情報送信モジュールをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである、請求項２６に記載の装置。
【請求項３１】
前記受信モジュールは、
特定された前記アップリンク制御チャネルの伝送長またはフォーマットに基づいて、前記アップリンク制御チャネルの中のアップリンク制御情報と参照信号の伝送構造を特定する伝送構造特定サブモジュールと、
前記伝送構造に基づいて、前記フィードバック対象のアップリンク制御情報と参照信号を搬送する前記アップリンク制御チャネルを各前記目標スロットで受信する第１受信サブモジュールと、
を含む、請求項２６に記載の装置。
【請求項３２】
予め取り決められたルールに基づいて、１つまたは複数の目標スロットで前記アップリンク制御チャネルの開始位置および／または終了位置を特定する第３位置特定モジュールをさらに含む、請求項３１に記載の装置。
【請求項３３】
特定された１つまたは複数の目標スロットで前記アップリンク制御チャネルの開始位置および／または終了位置を、所定のダウンリンク制御チャネルで端末に送信する第３情報送信モジュールをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである、請求項３１に記載の装置。
【請求項３４】
前記受信モジュールは、
前記フィードバック対象のアップリンク制御情報の大きさが第１所定値以下である場合、端末が前記フィードバック対象のアップリンク制御情報を変調して得た変調シンボルを搬送するアップリンク制御チャネルを各前記目標スロットで受信する第２受信サブモジュールと、
前記フィードバック対象のアップリンク制御情報の大きさが前記第１所定値より大きい場合、第１ビットシーケンスを搬送するアップリンク制御チャネルを各前記目標スロットで受信し、または、前記フィードバック対象のアップリンク制御情報の大きさが前記第１所定値より大きい場合、目標スロットに対応する第２ビットシーケンスのサブビットシーケンスを搬送するアップリンク制御チャネルを各前記目標スロットで受信する第３受信サブモジュールと、
を含み、
ここで、前記第１ビットシーケンスは、端末が、前記アップリンク制御チャネルで前記アップリンク制御情報を搬送するシンボル数に基づいて、前記フィードバック対象のアップリンク制御情報に対しチャネル符号化およびレートマッチングを行って得た符号化後のビットシーケンスであり、
前記第２ビットシーケンスは、端末が、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って得た符号化後のビットシーケンスである、請求項２６に記載の装置。
【請求項３５】
前記フィードバック対象のアップリンク制御情報を前記アップリンク制御チャネルから取得する情報取得モジュールをさらに含む、請求項３４に記載の装置。
【請求項３６】
前記情報取得モジュールは、
前記フィードバック対象のアップリンク制御情報の大きさが第１所定値以下である場合、各前記目標スロットで受信した変調シンボルを合併し、合併後の変調シンボルに基づいて、前記フィードバック対象のアップリンク制御情報を特定する第１情報取得サブモジュールと、
前記フィードバック対象のアップリンク制御情報の大きさが第１所定値より大きい場合、各前記目標スロットで受信した第１ビットシーケンスを合併し、合併後の第１ビットシーケンスを復号して前記フィードバック対象のアップリンク制御情報を特定し、または、各前記目標スロットで受信した変調シンボルシーケンスであって第１ビットシーケンスに対応する変調シンボルシーケンスを合併し、合併後の変調シンボルシーケンスに基づいて第１ビットシーケンスを得、前記第１ビットシーケンスを復号して前記フィードバック対象のアップリンク制御情報を特定し、または、各前記目標スロットで受信した第２ビットシーケンスのサブシーケンスをカスケード接続して第２ビットシーケンスを得、前記第２ビットシーケンスを復号して前記フィードバック対象のアップリンク制御情報を特定する第２情報取得サブモジュールと、
を含む、請求項３５に記載の装置。
【請求項３７】
プロセッサと、メモリと、前記メモリに記憶されて前記プロセッサで実行可能なコンピュータプログラムを含む基地局において、
前記コンピュータプログラムが前記プロセッサによって実行されると、請求項７〜１７のいずれか一項に記載のアップリンク制御チャネルの受信方法のステップが実現される、基地局。
【請求項３８】
コンピュータプログラムが記憶されているコンピュータ読み取り可能な記憶媒体であって、
前記コンピュータプログラムがプロセッサによって実行されると、請求項７〜１７のいずれか一項に記載のアップリンク制御チャネルの受信方法のステップが実現される、コンピュータ読み取り可能な記憶媒体。
【発明の詳細な説明】
【技術分野】
【０００１】
本願は、２０１７年６月１６日に中国特許庁に提出された中国特許出願２０１７１０４５６８４６．Ｘの優先権を主張し、その全ての内容が援用によりここに取り込まれる。
本開示は、通信技術分野に係り、特にアップリンク制御チャネルの送信方法、受信方法、装置、端末及び基地局に係る。
【背景技術】
【０００２】
移動通信サービスのリクエストの発展と変化に伴い、ＩＴＵ（Ｉｎｔｅｒｎａｔｉｏｎａｌ  Ｔｅｌｅｃｏｍｍｕｎｉｃａｔｉｏｎ  Ｕｎｉｏｎ）や３ＧＰＰ（登録商標）などの機構は、新規の無線通信システム（たとえば５Ｇ  ＮＲ（５  Ｇｅｎｅｒａｔｉｏｎ  Ｎｅｗ  ＲＡＴ））を研究し始めている。新規の無線通信システムにおいて、新規のフレーム構造が定義され、異なるヌメロロジー（ｎｕｍｅｒｏｌｏｇｙ：たとえばサブキャリア間隔などのパラメータを含む）がサポートされる。異なるヌメロロジーに対し、Ａ個のスロット（ｓｌｏｔ）を含む１つのサブフレームの長さが常に１ｍｓであると定義されている。異なるヌメロロジーに応じて、１つのサブフレームの長さが１ｍｓであることを満たすために、Ａの数は、異なる可能性がある。異なるヌメロロジーに対し、１つのスロットには、７または１４個のシンボル（ＯＦＤＭシンボルまたはＤＦＴ−Ｓ−ＯＦＤＭシンボルなど）を含む。たとえばサブキャリア間隔が３０ＫＨｚである場合、１つのｓｌｏｔに７個のシンボルを含むと取り決めたり設定したりすると、１つのサブフレームの長さが１ｍｓであることを満たすために、１つのサブフレームに４個のｓｌｏｔを含む必要がある。１つのｓｌｏｔに１４個のシンボルを含むと取り決めたり設定したりすると、１つのサブフレームの長さが１ｍｓであることを満たすために、１つのサブフレームに２個のｓｌｏｔを含む必要がある。１つのスロットは、多種類のスロット構造を有し、異なる構造が、１つのスロットでの異なるアップリンク／ダウンリンクリソース区分に対応する。たとえば１つのスロットの中の複数のシンボルは、すべてダウンリンク伝送に用いられてもよく、すなわちＤＬ  ｏｎｌｙ  ｓｌｏｔであり、すべてアップリンク伝送に用いられてもよく、すなわちＵＬ  ｏｎｌｙ  ｓｌｏｔであり、さらに、一部がアップリンク伝送に用いられ、一部がダウンリンク伝送に用いられてもよく、すなわちＤＬ＋ＵＬ  ｓｌｏｔである。スロット構造は、ＲＲＣシグナリングで半静的に端末に通知され、マルチキャスト共通シグナリングで動的に端末に通知されてスロット構造の動的変化を実現してもよい。
【０００３】
１つのスロットに含まれるアップリンクシンボル数が変化する可能性があるため、５Ｇ  ＮＲシステムにおいて、４〜１４個のシンボルである長いＰＵＣＣＨ（Ｐｈｙｓｉｃａｌ  Ｕｐｌｉｎｋ  Ｃｏｎｔｒｏｌ  Ｃｈａｎｎｅｌ）と、１または２個のシンボルである短いＰＵＣＣＨとの２種類のＰＵＣＣＨが定義されている。アップリンクカバレッジ向上のために、アップリンク制御情報（ＵＣＩ）は、長いＰＵＣＣＨで伝送される場合、複数のスロットで繰り返して伝送されてもよい。異なるスロットのアップリンク領域の大きさが異なる可能性があるため、複数のスロットで長いＰＵＣＣＨの伝送を行うことについて、現在、明確な解決策がまだ提案されていない。
【発明の概要】
【発明が解決しようとする課題】
【０００４】
本開示の目的は、複数のスロットでアップリンク制御チャネルを伝送するという目的を実現したアップリンク制御チャネルの送信方法、受信方法、装置、端末及び基地局を提供することである。
【課題を解決するための手段】
【０００５】
上記目的を達成するために、本開示の一部実施例において、アップリンク制御チャネルの送信方法を提供する。当該方法において、
フィードバック対象のアップリンク制御情報を送信する複数の目標スロットを特定することと、
ここで、前記フィードバック対象のアップリンク制御情報が、前記目標スロットでアップリンク制御チャネルによって送信され、
前記目標スロットで前記フィードバック対象のアップリンク制御情報を搬送するアップリンク制御チャネルの伝送長またはフォーマットを取得することと、
ここで、各前記目標スロットでアップリンク制御チャネルの伝送長またはフォーマットが同じであり、
特定された前記アップリンク制御チャネルの伝送長またはフォーマットにしたがって、前記フィードバック対象のアップリンク制御情報を搬送するアップリンク制御チャネルを各前記目標スロットで送信することと、
を含む、アップリンク制御チャネルの送信方法。
【０００６】
ここで、前記のフィードバック対象のアップリンク制御情報を送信する複数の目標スロットを特定することは、
予め定義された複数の目標スロットの情報に基づいて、フィードバック対象のアップリンク制御情報を送信する複数の目標スロットを特定すること、または、
ハイレイヤシグナリングで設定される複数の目標スロットの情報に基づいて、フィードバック対象のアップリンク制御情報を送信する複数の目標スロットを特定すること、または、
所定のダウンリンク制御チャネルで送信される複数の目標スロットの情報を受信し、フィードバック対象のアップリンク制御情報を送信する複数の目標スロットを特定すること、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
を含む。
【０００７】
ここで、前記の前記目標スロットで前記フィードバック対象のアップリンク制御情報を搬送するアップリンク制御チャネルの伝送長またはフォーマットを取得することは、
予めの定義に基づいて、前記目標スロットで前記フィードバック対象のアップリンク制御情報を搬送するアップリンク制御チャネルの伝送長またはフォーマットを取得すること、または、
ハイレイヤシグナリングの設定に基づいて、前記目標スロットで前記フィードバック対象のアップリンク制御情報を搬送するアップリンク制御チャネルの伝送長またはフォーマットを特定すること、または、
所定のダウンリンク制御チャネルの中の指示フィールドに基づいて、前記目標スロットで前記フィードバック対象のアップリンク制御情報を搬送するアップリンク制御チャネルの伝送長またはフォーマットを特定すること、または、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定すること、
を含む。
【０００８】
ここで、前記の特定された前記アップリンク制御チャネルの伝送長またはフォーマットにしたがって、前記フィードバック対象のアップリンク制御情報を搬送するアップリンク制御チャネルを各前記目標スロットで送信することは、
特定された前記アップリンク制御チャネルの伝送長またはフォーマットに基づいて、前記アップリンク制御チャネルの中のアップリンク制御情報と参照信号の伝送構造を特定することと、
前記伝送構造に基づいて、前記フィードバック対象のアップリンク制御情報と参照信号を搬送する前記アップリンク制御チャネルを各前記目標スロットで送信することと、
を含む。
【０００９】
ここで、所定のダウンリンク制御チャネルで送信される１つまたは複数の目標スロットで前記アップリンク制御チャネルの開始位置および／または終了位置を受信すること、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
および／または、
予め取り決められたルールに基づいて、１つまたは複数の目標スロットで前記アップリンク制御チャネルの開始位置および／または終了位置を特定すること、
をさらに含む。
【００１０】
ここで、前記の前記フィードバック対象のアップリンク制御情報を搬送するアップリンク制御チャネルを各前記目標スロットで送信することは、
前記フィードバック対象のアップリンク制御情報の大きさが第１所定値以下である場合、前記フィードバック対象のアップリンク制御情報を変調して変調シンボルを得、前記変調シンボルを搬送するアップリンク制御チャネルを各前記目標スロットで繰り返して送信することと、
前記フィードバック対象のアップリンク制御情報の大きさが前記第１所定値より大きい場合、前記アップリンク制御チャネルで前記アップリンク制御情報を搬送するシンボル数に基づいて、前記フィードバック対象のアップリンク制御情報に対しチャネル符号化およびレートマッチングを行って符号化後の第１ビットシーケンスを得、前記第１ビットシーケンスを搬送するアップリンク制御チャネルを各前記目標スロットで繰り返して送信し、または、前記フィードバック対象のアップリンク制御情報の大きさが前記第１所定値より大きい場合、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って符号化後の第２ビットシーケンスを得、目標スロットに対応する第２ビットシーケンスのサブビットシーケンスを搬送するアップリンク制御チャネルを各前記目標スロットで送信することと、
を含む。
【００１１】
本開示の一部実施例において、アップリンク制御チャネルの受信方法をさらに提供する。当該方法において、
フィードバック対象のアップリンク制御情報を送信する複数の目標スロットを特定することと、
ここで、前記フィードバック対象のアップリンク制御情報が、前記目標スロットでアップリンク制御チャネルによって送信され、
前記目標スロットで前記フィードバック対象のアップリンク制御情報を搬送するアップリンク制御チャネルの伝送長またはフォーマットを取得することと、
ここで、各前記目標スロットでアップリンク制御チャネルの伝送長またはフォーマットが同じであり、
特定された前記アップリンク制御チャネルの伝送長またはフォーマットにしたがって、前記フィードバック対象のアップリンク制御情報を搬送するアップリンク制御チャネルを各前記目標スロットで受信することと、
を含む、アップリンク制御チャネルの受信方法。
【００１２】
ここで、前記のフィードバック対象のアップリンク制御情報を送信する複数の目標スロットを特定することは、
予め定義された複数の目標スロットの情報に基づいて、フィードバック対象のアップリンク制御情報を送信する複数の目標スロットを特定すること、
を含む。
【００１３】
ここで、前記のフィードバック対象のアップリンク制御情報を送信する複数の目標スロットを特定することの後に、
前記複数の目標スロットの情報を、ハイレイヤシグナリングまたは所定のダウンリンク制御チャネルで端末に送信することを含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである。
【００１４】
ここで、前記の前記目標スロットで前記フィードバック対象のアップリンク制御情報を搬送するアップリンク制御チャネルの伝送長またはフォーマットを取得することは、
予めの定義に基づいて、前記目標スロットで前記フィードバック対象のアップリンク制御情報を搬送するアップリンク制御チャネルの伝送長またはフォーマットを取得すること、または、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定すること、
を含む。
【００１５】
ここで、前記の前記目標スロットで前記フィードバック対象のアップリンク制御情報を搬送するアップリンク制御チャネルの伝送長またはフォーマットを取得することの後に、
前記目標スロットで前記フィードバック対象のアップリンク制御情報を搬送するアップリンク制御チャネルの伝送長またはフォーマットを、ハイレイヤシグナリングまたは所定のダウンリンク制御チャネルで端末に送信することをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである。
【００１６】
ここで、前記の特定された前記アップリンク制御チャネルの伝送長またはフォーマットにしたがって、前記フィードバック対象のアップリンク制御情報を搬送するアップリンク制御チャネルを各前記目標スロットで受信することは、
特定された前記アップリンク制御チャネルの伝送長またはフォーマットに基づいて、前記アップリンク制御チャネルの中のアップリンク制御情報と参照信号の伝送構造を特定することと、
前記伝送構造に基づいて、前記フィードバック対象のアップリンク制御情報と参照信号を搬送する前記アップリンク制御チャネルを各前記目標スロットで受信することと、
を含む。
【００１７】
ここで、予め取り決められたルールに基づいて、１つまたは複数の目標スロットで前記アップリンク制御チャネルの開始位置および／または終了位置を特定することをさらに含む。
【００１８】
ここで、特定された１つまたは複数の目標スロットで前記アップリンク制御チャネルの開始位置および／または終了位置を、所定のダウンリンク制御チャネルで端末に送信することをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである。
【００１９】
ここで、前記の前記フィードバック対象のアップリンク制御情報を搬送するアップリンク制御チャネルを各前記目標スロットで受信することは、
前記フィードバック対象のアップリンク制御情報の大きさが第１所定値以下である場合、端末が前記フィードバック対象のアップリンク制御情報を変調して得た変調シンボルを搬送するアップリンク制御チャネルを各前記目標スロットで受信することと、
前記フィードバック対象のアップリンク制御情報の大きさが前記第１所定値より大きい場合、第１ビットシーケンスを搬送するアップリンク制御チャネルを各前記目標スロットで受信し、または、前記フィードバック対象のアップリンク制御情報の大きさが前記第１所定値より大きい場合、目標スロットに対応する第２ビットシーケンスのサブビットシーケンスを搬送するアップリンク制御チャネルを各前記目標スロットで受信することと、
を含み、
ここで、前記第１ビットシーケンスは、端末が、前記アップリンク制御チャネルで前記アップリンク制御情報を搬送するシンボル数に基づいて、前記フィードバック対象のアップリンク制御情報に対しチャネル符号化およびレートマッチングを行って得た符号化後のビットシーケンスであり、
前記第２ビットシーケンスは、端末が、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って得た符号化後のビットシーケンスである。
【００２０】
ここで、前記の特定された前記アップリンク制御チャネルの伝送長またはフォーマットにしたがって、前記フィードバック対象のアップリンク制御情報を搬送するアップリンク制御チャネルを各前記目標スロットで受信した後に、
前記フィードバック対象のアップリンク制御情報を前記アップリンク制御チャネルから取得することをさらに含む。
【００２１】
ここで、前記の前記フィードバック対象のアップリンク制御情報を前記アップリンク制御チャネルから取得することは、
前記フィードバック対象のアップリンク制御情報の大きさが第１所定値以下である場合、各前記目標スロットで受信した変調シンボルを合併し、合併後の変調シンボルに基づいて、前記フィードバック対象のアップリンク制御情報を特定することと、
前記フィードバック対象のアップリンク制御情報の大きさが第１所定値より大きい場合、各前記目標スロットで受信した第１ビットシーケンスを合併し、合併後の第１ビットシーケンスを復号して前記フィードバック対象のアップリンク制御情報を特定し、または、各前記目標スロットで受信した変調シンボルシーケンスであって第１ビットシーケンスに対応する変調シンボルシーケンスを合併し、合併後の変調シンボルシーケンスに基づいて第１ビットシーケンスを得、前記第１ビットシーケンスを復号して前記フィードバック対象のアップリンク制御情報を特定し、または、各前記目標スロットで受信した第２ビットシーケンスのサブシーケンスをカスケード接続して第２ビットシーケンスを得、前記第２ビットシーケンスを復号して前記フィードバック対象のアップリンク制御情報を特定することと、
を含む。
【００２２】
本開示の一部実施例において、第１特定モジュールと、第１取得モジュールと、送信モジュールとを含むアップリンク制御チャネルの送信装置をさらに提供する。アップリンク制御チャネルの送信装置において、
第１特定モジュールは、フィードバック対象のアップリンク制御情報を送信する複数の目標スロットを特定し、
ここで、前記フィードバック対象のアップリンク制御情報が、前記目標スロットでアップリンク制御チャネルによって送信され、
第１取得モジュールは、前記目標スロットで前記フィードバック対象のアップリンク制御情報を搬送するアップリンク制御チャネルの伝送長またはフォーマットを取得し、
ここで、各前記目標スロットでアップリンク制御チャネルの伝送長またはフォーマットが同じであり、
送信モジュールは、特定された前記アップリンク制御チャネルの伝送長またはフォーマットにしたがって、前記フィードバック対象のアップリンク制御情報を搬送するアップリンク制御チャネルを各前記目標スロットで送信する、アップリンク制御チャネルの送信装置。
【００２３】
ここで、前記第１特定モジュールは、
予め定義された複数の目標スロットの情報に基づいて、フィードバック対象のアップリンク制御情報を送信する複数の目標スロットを特定する第１特定サブモジュール、および／または、
ハイレイヤシグナリングで設定される複数の目標スロットの情報に基づいて、フィードバック対象のアップリンク制御情報を送信する複数の目標スロットを特定する第２特定サブモジュール、および／または、
所定のダウンリンク制御チャネルで送信される複数の目標スロットの情報を受信し、フィードバック対象のアップリンク制御情報を送信する複数の目標スロットを特定する第３特定サブモジュール、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
を含む。
【００２４】
ここで、前記第１取得モジュールは、
予めの定義に基づいて、前記目標スロットで前記フィードバック対象のアップリンク制御情報を搬送するアップリンク制御チャネルの伝送長またはフォーマットを取得する第１取得サブモジュール、および／または、
ハイレイヤシグナリングの設定に基づいて、前記目標スロットで前記フィードバック対象のアップリンク制御情報を搬送するアップリンク制御チャネルの伝送長またはフォーマットを特定する第２取得サブモジュール、および／または、
所定のダウンリンク制御チャネルの中の指示フィールドに基づいて、前記目標スロットで前記フィードバック対象のアップリンク制御情報を搬送するアップリンク制御チャネルの伝送長またはフォーマットを特定する第３取得サブモジュール、および／または、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定する第４取得サブモジュール、
を含む。
【００２５】
ここで、前記送信モジュールは、
特定された前記アップリンク制御チャネルの伝送長またはフォーマットに基づいて、前記アップリンク制御チャネルの中のアップリンク制御情報と参照信号の伝送構造を特定する構造特定サブモジュールと、
前記伝送構造に基づいて、前記フィードバック対象のアップリンク制御情報と参照信号を搬送する前記アップリンク制御チャネルを各前記目標スロットで送信する第１送信サブモジュールと、
を含む。
【００２６】
ここで、所定のダウンリンク制御チャネルで送信される１つまたは複数の目標スロットで前記アップリンク制御チャネルの開始位置および／または終了位置を受信する第１位置特定モジュール、および／または、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
予め取り決められたルールに基づいて、１つまたは複数の目標スロットで前記アップリンク制御チャネルの開始位置および／または終了位置を特定する第２位置特定モジュール、
をさらに含む。
【００２７】
ここで、前記送信モジュールは、
前記フィードバック対象のアップリンク制御情報の大きさが第１所定値以下である場合、前記フィードバック対象のアップリンク制御情報を変調して変調シンボルを得、前記変調シンボルを搬送するアップリンク制御チャネルを各前記目標スロットで繰り返して送信する第２送信サブモジュールと、
前記フィードバック対象のアップリンク制御情報の大きさが前記第１所定値より大きい場合、前記アップリンク制御チャネルで前記アップリンク制御情報を搬送するシンボル数に基づいて、前記フィードバック対象のアップリンク制御情報に対しチャネル符号化およびレートマッチングを行って符号化後の第１ビットシーケンスを得、前記第１ビットシーケンスを搬送するアップリンク制御チャネルを各前記目標スロットで繰り返して送信し、または、前記フィードバック対象のアップリンク制御情報の大きさが前記第１所定値より大きい場合、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って符号化後の第２ビットシーケンスを得、目標スロットに対応する第２ビットシーケンスのサブビットシーケンスを搬送するアップリンク制御チャネルを各前記目標スロットで送信する第３送信サブモジュールと、
を含む。
【００２８】
本開示の一部実施例において、プロセッサと、バスインタフェースを介して前記プロセッサに接続され、前記プロセッサの操作実行に用いられるプログラムとデータを記憶するためのメモリと、バスインタフェースを介してプロセッサに接続され、制御指令を送信するトランシーバとを含む端末をさらに提供する。プロセッサは、前記メモリに記憶されてプログラムとデータを呼び出して実行すると、以下のステップが実現される。
フィードバック対象のアップリンク制御情報を送信する複数の目標スロットを特定し、ここで、前記フィードバック対象のアップリンク制御情報が、前記目標スロットでアップリンク制御チャネルによって送信される。
前記目標スロットで前記フィードバック対象のアップリンク制御情報を搬送するアップリンク制御チャネルの伝送長またはフォーマットを取得し、ここで、各前記目標スロットでアップリンク制御チャネルの伝送長またはフォーマットが同じである。
特定された前記アップリンク制御チャネルの伝送長またはフォーマットにしたがって、前記フィードバック対象のアップリンク制御情報を搬送するアップリンク制御チャネルを各前記目標スロットで送信する。
【００２９】
本開示の一部実施例において、コンピュータプログラムが記憶されているコンピュータ読み取り可能な記憶媒体をさらに提供する。当該プログラムがプロセッサによって実行されると、以下のステップが実現される。
フィードバック対象のアップリンク制御情報を送信する複数の目標スロットを特定し、ここで、前記フィードバック対象のアップリンク制御情報が、前記目標スロットでアップリンク制御チャネルによって送信される。
前記目標スロットで前記フィードバック対象のアップリンク制御情報を搬送するアップリンク制御チャネルの伝送長またはフォーマットを取得し、ここで、各前記目標スロットでアップリンク制御チャネルの伝送長またはフォーマットが同じである。
特定された前記アップリンク制御チャネルの伝送長またはフォーマットにしたがって、前記フィードバック対象のアップリンク制御情報を搬送するアップリンク制御チャネルを各前記目標スロットで送信する。
【００３０】
本開示の一部実施例において、第２特定モジュールと、第２取得モジュールと、受信モジュールとを含むアップリンク制御チャネルの受信装置をさらに提供する。アップリンク制御チャネルの受信装置において、
第２特定モジュールは、フィードバック対象のアップリンク制御情報を送信する複数の目標スロットを特定し、
ここで、前記フィードバック対象のアップリンク制御情報が、前記目標スロットでアップリンク制御チャネルによって送信され、
第２取得モジュールは、前記目標スロットで前記フィードバック対象のアップリンク制御情報を搬送するアップリンク制御チャネルの伝送長またはフォーマットを取得し、
ここで、各前記目標スロットでアップリンク制御チャネルの伝送長またはフォーマットが同じであり、
受信モジュールは、特定された前記アップリンク制御チャネルの伝送長またはフォーマットにしたがって、前記フィードバック対象のアップリンク制御情報を搬送するアップリンク制御チャネルを各前記目標スロットで受信する、アップリンク制御チャネルの受信装置。
【００３１】
ここで、前記第２特定モジュールは、
予め定義された複数の目標スロットの情報に基づいて、フィードバック対象のアップリンク制御情報を送信する複数の目標スロットを特定する第４特定サブモジュールを含む。
【００３２】
ここで、前記複数の目標スロットの情報を、ハイレイヤシグナリングまたは所定のダウンリンク制御チャネルで端末に送信する第１情報送信モジュールをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである。
【００３３】
ここで、前記第２取得モジュールは、
予めの定義に基づいて、前記目標スロットで前記フィードバック対象のアップリンク制御情報を搬送するアップリンク制御チャネルの伝送長またはフォーマットを取得する第５取得サブモジュール、または、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定する第６取得サブモジュール、
を含む。
【００３４】
ここで、前記目標スロットで前記フィードバック対象のアップリンク制御情報を搬送するアップリンク制御チャネルの伝送長またはフォーマットを、ハイレイヤシグナリングまたは所定のダウンリンク制御チャネルで端末に送信する第２情報送信モジュールをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである。
【００３５】
ここで、前記受信モジュールは、
特定された前記アップリンク制御チャネルの伝送長またはフォーマットに基づいて、前記アップリンク制御チャネルの中のアップリンク制御情報と参照信号の伝送構造を特定する伝送構造特定サブモジュールと、
前記伝送構造に基づいて、前記フィードバック対象のアップリンク制御情報と参照信号を搬送する前記アップリンク制御チャネルを各前記目標スロットで受信する第１受信サブモジュールと、
を含む。
【００３６】
ここで、予め取り決められたルールに基づいて、１つまたは複数の目標スロットで前記アップリンク制御チャネルの開始位置および／または終了位置を特定する第３位置特定モジュールをさらに含む。
【００３７】
ここで、特定された１つまたは複数の目標スロットで前記アップリンク制御チャネルの開始位置および／または終了位置を、所定のダウンリンク制御チャネルで端末に送信する第３情報送信モジュールをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである。
【００３８】
ここで、前記受信モジュールは、
前記フィードバック対象のアップリンク制御情報の大きさが第１所定値以下である場合、端末が前記フィードバック対象のアップリンク制御情報を変調して得た変調シンボルを搬送するアップリンク制御チャネルを各前記目標スロットで受信する第２受信サブモジュールと、
前記フィードバック対象のアップリンク制御情報の大きさが前記第１所定値より大きい場合、第１ビットシーケンスを搬送するアップリンク制御チャネルを各前記目標スロットで受信し、または、前記フィードバック対象のアップリンク制御情報の大きさが前記第１所定値より大きい場合、目標スロットに対応する第２ビットシーケンスのサブビットシーケンスを搬送するアップリンク制御チャネルを各前記目標スロットで受信する第３受信サブモジュールと、
を含み、
ここで、前記第１ビットシーケンスは、端末が、前記アップリンク制御チャネルで前記アップリンク制御情報を搬送するシンボル数に基づいて、前記フィードバック対象のアップリンク制御情報に対しチャネル符号化およびレートマッチングを行って得た符号化後のビットシーケンスであり、
前記第２ビットシーケンスは、端末が、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って得た符号化後のビットシーケンスである。
【００３９】
ここで、前記フィードバック対象のアップリンク制御情報を前記アップリンク制御チャネルから取得する情報取得モジュールをさらに含む。
【００４０】
ここで、前記情報取得モジュールは、
前記フィードバック対象のアップリンク制御情報の大きさが第１所定値以下である場合、各前記目標スロットで受信した変調シンボルを合併し、合併後の変調シンボルに基づいて、前記フィードバック対象のアップリンク制御情報を特定する第１情報取得サブモジュールと、
前記フィードバック対象のアップリンク制御情報の大きさが第１所定値より大きい場合、各前記目標スロットで受信した第１ビットシーケンスを合併し、合併後の第１ビットシーケンスを復号して前記フィードバック対象のアップリンク制御情報を特定し、または、各前記目標スロットで受信した変調シンボルシーケンスであって第１ビットシーケンスに対応する変調シンボルシーケンスを合併し、合併後の変調シンボルシーケンスに基づいて第１ビットシーケンスを得、前記第１ビットシーケンスを復号して前記フィードバック対象のアップリンク制御情報を特定し、または、各前記目標スロットで受信した第２ビットシーケンスのサブシーケンスをカスケード接続して第２ビットシーケンスを得、前記第２ビットシーケンスを復号して前記フィードバック対象のアップリンク制御情報を特定する第２情報取得サブモジュールと、
を含む。
【００４１】
本開示の一部実施例において、プロセッサと、バスインタフェースを介して前記プロセッサに接続され、前記プロセッサの操作実行に用いられるプログラムとデータを記憶するためのメモリと、バスインタフェースを介してプロセッサに接続され、制御指令を送信するトランシーバとを含む基地局をさらに提供する。プロセッサが前記メモリに記憶されているプログラムとデータを呼び出して実行すると、以下のステップが実現される。
フィードバック対象のアップリンク制御情報を送信する複数の目標スロットを特定し、ここで、前記フィードバック対象のアップリンク制御情報が、前記目標スロットでアップリンク制御チャネルによって送信される。
前記目標スロットで前記フィードバック対象のアップリンク制御情報を搬送するアップリンク制御チャネルの伝送長またはフォーマットを取得し、ここで、各前記目標スロットでアップリンク制御チャネルの伝送長またはフォーマットが同じである。
特定された前記アップリンク制御チャネルの伝送長またはフォーマットにしたがって、前記フィードバック対象のアップリンク制御情報を搬送するアップリンク制御チャネルを各前記目標スロットで受信する。
【００４２】
本開示の一部実施例において、コンピュータプログラムが記憶されているコンピュータ読み取り可能な記憶媒体をさらに提供する。当該プログラムがプロセッサによって実行されると、以下のステップが実現される。
フィードバック対象のアップリンク制御情報を送信する複数の目標スロットを特定し、ここで、前記フィードバック対象のアップリンク制御情報が、前記目標スロットでアップリンク制御チャネルによって送信される。
前記目標スロットで前記フィードバック対象のアップリンク制御情報を搬送するアップリンク制御チャネルの伝送長またはフォーマットを取得し、ここで、各前記目標スロットでアップリンク制御チャネルの伝送長またはフォーマットが同じである。
特定された前記アップリンク制御チャネルの伝送長またはフォーマットにしたがって、前記フィードバック対象のアップリンク制御情報を搬送するアップリンク制御チャネルを各前記目標スロットで受信する。
【発明の効果】
【００４３】
本開示の一部実施例のアップリンク制御チャネルの送信方法、受信方法、装置、端末及び基地局において、端末が、複数の目標スロットでアップリンク制御チャネルを伝送する必要がある場合、複数の目標スロットで、同じであるアップリンク制御チャネルの伝送長またはフォーマットにしたがってアップリンク制御チャネルの伝送を行うため、複数のスロットでアップリンク制御チャネル伝送を行うという目的を実現する。
【図面の簡単な説明】
【００４４】
【図１】本開示の一部実施例におけるアップリンク制御チャネルの送信方法のフローチャートである。
【図２】本開示の一部実施例におけるアップリンク制御チャネルの送信装置の構造図である。
【図３】本開示の一部実施例における端末の構造図である。
【図４】本開示の一部実施例におけるアップリンク制御チャネルの受信方法のフローチャートである。
【図５】本開示の一部実施例におけるアップリンク制御チャネルの受信装置の構造図である。
【図６】本開示の一部実施例における基地局の構造図である。
【図７】本開示の一部実施例における方法の具体的応用でのスロット図その１である。
【図８】本開示の一部実施例における方法の具体的応用でのスロット図その２である。
【図９】本開示の一部実施例における方法の具体的応用でのスロット図その３である。
【発明を実施するための形態】
【００４５】
本開示の解決しようとする技術課題、技術手段および利点をより明確にするために、以下、図面および具体的な実施例を通じて詳細に記載する。
【００４６】
図１に示すように、本開示の一部実施例のアップリンク制御チャネルの送信方法において、以下のステップを含む。
【００４７】
ステップ１１において、フィードバック対象のアップリンク制御情報を送信する複数の目標スロットを特定する。ここで、前記フィードバック対象のアップリンク制御情報は、前記目標スロットでアップリンク制御チャネルによって送信される。
【００４８】
本ステップにおいて、アップリンク制御チャネルの送信方法は、通常、端末側に応用される。すなわち、端末は、フィードバック対象のアップリンク制御情報ＵＣＩを特定し、フィードバック対象のＵＣＩが複数の目標スロットでアップリンク制御チャネルによって送信されると特定する。
【００４９】
ステップ１２において、前記目標スロットで前記フィードバック対象のアップリンク制御情報を搬送するアップリンク制御チャネルの伝送長またはフォーマットを取得する。ここで、各前記目標スロットでアップリンク制御チャネルの伝送長またはフォーマットは、同じである。
【００５０】
本ステップにおいて、異なる目標スロットでフィードバック対象のＵＣＩを搬送するアップリンク制御チャネルの伝送長またはフォーマットは、同じである。たとえば、目標スロット１でフィードバック対象のＵＣＩを搬送するアップリンク制御チャネルの伝送長が７個のシンボルであると、ほかの目標スロット（たとえば目標スロット２、３など）でフィードバック対象のＵＣＩを搬送するアップリンク制御チャネルの伝送長は、いずれも７個のシンボルである。
【００５１】
ステップ１３において、特定された前記アップリンク制御チャネルの伝送長またはフォーマットにしたがって、前記フィードバック対象のアップリンク制御情報を搬送するアップリンク制御チャネルを各前記目標スロットで送信する。
【００５２】
本ステップにおいて、伝送長またはフォーマットの種類ごとに、一種の伝送構造が対応する。すなわち、対応する伝送構造にしたがって、前記フィードバック対象のＵＣＩを搬送するアップリンク制御チャネルを各目標スロットで送信する。
【００５３】
具体的に、本開示の一部実施例のステップ１１において、
予め定義された複数の目標スロットの情報に基づいて、フィードバック対象のアップリンク制御情報を送信する複数の目標スロットを特定すること、または、
ここで、予めの定義は、端末と基地局の両方に守られるある標準の定義であり、
ハイレイヤシグナリングで設定される複数の目標スロットの情報に基づいて、フィードバック対象のアップリンク制御情報を送信する複数の目標スロットを特定すること、または、
所定のダウンリンク制御チャネルで送信される複数の目標スロットの情報を受信し、フィードバック対象のアップリンク制御情報を送信する複数の目標スロットを特定すること、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
を含む。
【００５４】
具体的に、複数の目標スロットの情報は、少なくとも、複数の目標スロットの数および複数の目標スロットのＩＤを含み、たとえば、４つの目標スロット、目標スロット１、目標スロット２、目標スロット３および目標スロット４を含む。
【００５５】
さらに、本開示の一部実施例のステップ１２において、
予めの定義に基づいて、前記目標スロットで前記フィードバック対象のアップリンク制御情報を搬送するアップリンク制御チャネルの伝送長またはフォーマットを取得すること、または、
ハイレイヤシグナリングの設定に基づいて、前記目標スロットで前記フィードバック対象のアップリンク制御情報を搬送するアップリンク制御チャネルの伝送長またはフォーマットを特定すること、または、
所定のダウンリンク制御チャネルの中の指示フィールドに基づいて、前記目標スロットで前記フィードバック対象のアップリンク制御情報を搬送するアップリンク制御チャネルの伝送長またはフォーマットを特定すること、または、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定すること、
を含む。
たとえば、複数の目標スロットのうちの１つめの目標スロットのアップリンク領域の大きさに基づいてアップリンク制御チャネルの伝送長またはフォーマットを特定する。
また、たとえば、複数の目標スロットのうちのすべての目標スロットのアップリンク領域の大きさの平均値に基づいてアップリンク制御チャネルの伝送長またはフォーマットを特定する。
さらに、たとえば、複数の目標スロットのうち、アップリンク領域が最も小さい目標スロットのアップリンク領域の大きさに基づいてアップリンク制御チャネルの伝送長またはフォーマットを特定する。
【００５６】
なお、アップリンク制御チャネルの伝送長とフォーマットは、一対一に対応する。たとえば、１つの伝送長は、１つのフォーマットに一義的に対応し、または、１つのフォーマットは、１つの伝送長に一義的に対応する。同一の伝送長に複数種類のフォーマットが対応してもよく、フォーマットが特定できれば伝送長の特定ができるようになる。さらに、同一のフォーマットに複数の伝送長が対応してもよく、伝送長が特定できればフォーマットの特定ができるようになる。
【００５７】
さらに、本開示の一部実施例のステップ１３において、
特定された前記アップリンク制御チャネルの伝送長またはフォーマットに基づいて、前記アップリンク制御チャネルの中のアップリンク制御情報と参照信号の伝送構造を特定することと、
前記伝送構造に基づいて、前記フィードバック対象のアップリンク制御情報と参照信号を搬送する前記アップリンク制御チャネルを各前記目標スロットで送信することと、
を含む。
【００５８】
本開示の一部実施例において、１つの伝送長またはフォーマットは、一種のアップリンク制御情報ＵＣＩと参照信号ＲＳの伝送構造に対応する。すなわち、伝送長またはフォーマットから、アップリング制御チャネルのＵＣＩおよびＲＳマッピングの際のマッピング構造を特定することができる。すなわち、アップリンク制御チャネルが占用する複数のシンボルのうち、どのシンボルがＵＣＩ伝送に用いられ、どのシンボルがＲＳ伝送に用いられる。たとえば、伝送長が７個のシンボルであり、フォーマットがｘ１であると、対応するＵＣＩとＲＳ構造は、ＵＵＲＲＲＵＵ（またはＵＲＵＵＲＲＵ）である。ここで、Ｕは、７個のシンボルのうちＵＣＩ伝送シンボルの位置を示し、Ｒは、７個のシンボルのうち、ＲＳ伝送シンボルの位置を示す。また、たとえば、伝送長が４個のシンボルであり、フォーマットがｘ２であると、対応するＵＣＩとＲＳ構造は、ＵＲＲＵ（またはＲＵＲＵ）である。以上をまとめると、伝送長またはフォーマットが特定できれば、対応するＵＣＩとＲＳ構造の特定ができるようになり、当該構造にしたがってＵＣＩとＲＳをアップリンク制御チャネルで伝送することができる。
【００５９】
なお、上記伝送構造は、単に本開示の一部の実施例であり、ほかの構造を有してもよい。異なる伝送長およびシンボル間のホッピングが存在するかに応じて、異なるＵＣＩとＲＳ構造を有してもよいが、本開示の注目内容ではないため、ここでは詳細に記載しない。
【００６０】
本開示の一部実施例において、複数の目標スロットには、同じであるアップリンク領域またはアップリンク制御チャネル伝送用のアップリンク領域を含む可能性があり、異なるアップリンク領域またはアップリンク制御チャネル伝送用のアップリンク領域を含む可能性もあるため、同じである伝送長またはフォーマットのアップリンク制御チャネルは、複数の目標スロットにおける位置が同じである可能性もあり、異なる可能性もある。よって、フィードバック対象のＵＣＩを搬送するアップリンク制御チャネルの位置をより正確に特定するために、本開示の一部実施例のアップリンク制御チャネルの送信方法において、さらに、複数の目標スロットで前記アップリンク制御チャネルの開始位置および／または終了位置を特定する必要がある。
【００６１】
具体的に、複数の目標スロットで前記アップリンク制御チャネルの開始位置および／または終了位置を特定する方法として、
所定のダウンリンク制御チャネルで送信される１つまたは複数の目標スロットで前記アップリンク制御チャネルの開始位置および／または終了位置を受信すること、および／または、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
予め取り決められたルールに基づいて、１つまたは複数の目標スロットで前記アップリンク制御チャネルの開始位置および／または終了位置を特定すること、
をさらに含む。
【００６２】
具体的に、複数の目標スロットのうちの各目標スロットには、同じ大きさのアップリンク領域またはアップリンク制御チャネル伝送用のアップリンク領域を含む場合、
前記アップリンク制御チャネルの各目標スロットのアップリンク領域（またはアップリンク制御チャネル伝送用のアップリンク領域）における開始位置および／または終了位置は、同じであり、予め取り決められた位置であってもよく、所定のダウンリンク制御チャネルの中の指示フィールドに基づいて特定されてもよい。
【００６３】
複数の目標スロットのうちの少なくとも２つの目標スロットには、異なる大きさのアップリンク領域またはアップリンク制御チャネル伝送用のアップリンク領域を含む場合、
各アップリンク制御チャネルの開始位置および／または終了位置を、所定のダウンリンク制御チャネルの指示フィールドによって特定し、
ここで、複数の目標スロットのうちの各目標スロットは、１つの独立な指示に対応する。
【００６４】
または、複数の目標スロットのうちの１つめの目標スロットでアップリンク制御チャネルの開始位置および／または終了位置は、所定のダウンリンク制御チャネルの中の指示フィールドに基づいて特定される。ここで、前記所定のダウンリンク制御チャネルでは、１つの開始位置および／または終了位置しか指示しない。
複数の目標スロットのうちのほかの目標スロットにおいて、アップリンク制御チャネルの開始位置および／または終了位置は、予め取り決められたルールに基づいて特定される。
たとえば、前記目標サブフレームのアップリンク領域または前記アップリンク制御チャネルを伝送するためのアップリンク領域の全領域を占めると予め取り決めたり、目標サブフレームのアップリンク領域または前記アップリンク制御チャネルを伝送するためのアップリンク領域の第Ａ個のシンボルから開始すると予め取り決めたり、目標サブフレームのアップリンク領域または前記アップリンク制御チャネルを伝送するためのアップリンク領域の後方から第Ｂ個のシンボルで終了すると予め取り決めたりする。
【００６５】
または、複数の目標スロットのうちの各目標スロットでアップリンク制御チャネルの開始位置および／または終了位置は、いずれも、予め取り決められたルールに基づいて特定される。
たとえば、前記目標サブフレームのアップリンク領域または前記アップリンク制御チャネルを伝送するためのアップリンク領域の全領域を占めると予め取り決めたり、目標サブフレームのアップリンク領域または前記アップリンク制御チャネルを伝送するためのアップリンク領域の第Ａ個のシンボルから開始すると予め取り決めたり、目標サブフレームのアップリンク領域または前記アップリンク制御チャネルを伝送するためのアップリンク領域の後方から第Ｂ個のシンボルで終了すると予め取り決めたりする。
【００６６】
なお、目標スロットの構造を指示する情報を取得しなかったり（すなわち各目標スロットのアップリンク領域またはアップリンク制御チャネル伝送用のアップリンク領域が特定できない）、目標スロットでアップリンク領域の大きさ（またはアップリンク制御チャネル伝送用のアップリンク領域の大きさ）が、特定された伝送長または特定されたフォーマットに対応する伝送長より小さかったり、所定のダウンリンク制御チャネルの指示または予め取り決められたルールに基づいて特定される開始位置および／または終了位置が、前記目標スロットのアップリンク領域（またはアップリンク領域でアップリンク制御チャネル伝送用の領域）とは一致しなかったりする（たとえば指示される開始位置および／または終了位置がこの範囲にない）と、端末は、当該目標スロットを飛ばして次の目標スロットで引き続き伝送する（当該目標スロットの数は、Ｎ（予め特定されたＵＣＩ伝送用の目標スロットの数）個の目標スロットにカウントされてもよく、カウントされなくてもよい。）。
【００６７】
さらに、上記場合において、端末は、所定のダウンリンク制御チャネルを受信し、かつアップリンク制御チャネルの開始位置および／または終了位置が所定のダウンリンク制御チャネルによって指示される場合、指示される開始位置および／または終了位置、および、特定済みの伝送長または特定済みのフォーマットに対応する伝送長に基づいて、当該目標スロットでアップリンク制御チャネル伝送を行う（すなわち、当該目標スロットでのアップリンク／ダウンリンクリソース割り当てや、当該目標スロットでのアップリンク領域またはアップリンク領域でアップリンク制御チャネル伝送用の領域の大きさにかかわらずに、端末が常に指示された位置にしたがって伝送を行う。）。または、上記場合において、端末は、常に、予め取り決められたルールで特定された当該目標スロットでの開始位置および／または終了位置、および特定済みの伝送長または特定済みのフォーマットに対応する伝送長に基づいて、当該目標スロットでアップリンク制御チャネル伝送を行う（すなわち、当該目標スロットでのアップリンク／ダウンリンクリソース割り当てや、当該目標スロットでのアップリンク領域またはアップリンク領域でアップリンク制御チャネル伝送用の領域の大きさにかかわらずに、端末が常に指示された位置にしたがって伝送を行う。）。
【００６８】
さらに、本開示の一部実施例のステップ１３において、以下を含む。
前記フィードバック対象のアップリンク制御情報の大きさが第１所定値以下である場合、前記フィードバック対象のアップリンク制御情報を変調して変調シンボルを得、前記変調シンボルを搬送するアップリンク制御チャネルを各前記目標スロットで繰り返して送信する。
第１所定値は、通常、２ビットにセットされる。すなわち、フィードバック対象のＵＣＩが１ビットまたは２ビットである場合、当該１ビットまたは２ビットのＵＣＩを変調して１つの変調シンボルを得、得られた当該１つの変調シンボルは、前記複数の目標スロットの各目標スロットで、対応する伝送長またはフォーマットのアップリンク制御チャネルで繰り返して伝送される。
【００６９】
前記フィードバック対象のアップリンク制御情報の大きさが前記第１所定値より大きい場合、前記アップリンク制御チャネルで前記アップリンク制御情報を搬送するシンボル数に基づいて、前記フィードバック対象のアップリンク制御情報に対しチャネル符号化およびレートマッチングを行って符号化後の第１ビットシーケンスを得、前記第１ビットシーケンスを搬送するアップリンク制御チャネルを各前記目標スロットで繰り返して送信する。すなわち、フィードバック対象のＵＣＩが２ビットより大きい場合、フィードバック対象のＵＣＩに対し、対応する伝送長またはフォーマットのアップリンク制御チャネルでＵＣＩを搬送するシンボル数に基づいてチャネル符号化およびレートマッチングを行って符号化後の第１ビットシーケンスを得、複数の目標スロットのうちの各目標スロットで繰り返して伝送する。
【００７０】
または、前記フィードバック対象のアップリンク制御情報の大きさが前記第１所定値より大きい場合、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って符号化後の第２ビットシーケンスを得、目標スロットに対応する第２ビットシーケンスのサブビットシーケンスを搬送するアップリンク制御チャネルを各前記目標スロットで送信する。すなわち、フィードバック対象のＵＣＩが２ビットより大きい場合、フィードバック対象のＵＣＩに対し、対応する伝送長またはフォーマットのアップリンク制御チャネルでＵＣＩを搬送するシンボル数および目標スロットの数に基づいてチャネル符号化およびレートマッチングを行って符号化後の第２ビットシーケンスを得、目標スロットに対応するサブビットシーケンスを第２ビットシーケンスから取って当該目標スロットで伝送する。たとえば、第２ビットシーケンスが１１１０００１１１であり、目標スロットの数が３であり、それぞれ目標スロット１、目標スロット２および目標スロット３であり、目標スロット１に対応するサブビットシーケンスが１１１であり、目標スロット２に対応するサブビットシーケンスが０００であり、目標スロット３に対応するサブビットシーケンスが１１１であると、目標スロット１では、サブビットシーケンス１１１が搬送されるアップリンク制御チャネルを伝送し、目標スロット２では、サブビットシーケンス０００が搬送されるアップリンク制御チャネルを伝送し、目標スロット３では、サブビットシーケンス１１１が搬送されるアップリンク制御チャネルを伝送する。
【００７１】
以上をまとめると、本開示の一部実施例のアップリンク制御チャネルの送信方法において、端末が、複数の目標スロットでアップリンク制御チャネルを伝送する必要がある場合、複数の目標スロットで、同じであるアップリンク制御チャネルの伝送長またはフォーマットにしたがってアップリンク制御チャネルの伝送を行うため、複数のスロットでアップリンク制御チャネル伝送を行うという目的を実現する。
【００７２】
上記の目的をよりよく実現するために、図２に示すように、本開示の一部実施例におけるアップリンク制御チャネルの送信装置は、第１特定モジュール２１と、第１取得モジュール２２と、送信モジュール２３とを含む。
第１特定モジュール２１は、フィードバック対象のアップリンク制御情報を送信する複数の目標スロットを特定し、ここで、前記フィードバック対象のアップリンク制御情報が、前記目標スロットでアップリンク制御チャネルによって送信される。
第１取得モジュール２２は、前記目標スロットで前記フィードバック対象のアップリンク制御情報を搬送するアップリンク制御チャネルの伝送長またはフォーマットを取得し、ここで、各前記目標スロットでアップリンク制御チャネルの伝送長またはフォーマットが同じである。
送信モジュール２３は、特定された前記アップリンク制御チャネルの伝送長またはフォーマットにしたがって、前記フィードバック対象のアップリンク制御情報を搬送するアップリンク制御チャネルを各前記目標スロットで送信する。
【００７３】
具体的に、本開示の一部実施例の前記第１特定モジュール２１は、
予め定義された複数の目標スロットの情報に基づいて、フィードバック対象のアップリンク制御情報を送信する複数の目標スロットを特定する第１特定サブモジュール、および／または、
ハイレイヤシグナリングで設定される複数の目標スロットの情報に基づいて、フィードバック対象のアップリンク制御情報を送信する複数の目標スロットを特定する第２特定サブモジュール、および／または、
所定のダウンリンク制御チャネルで送信される複数の目標スロットの情報を受信し、フィードバック対象のアップリンク制御情報を送信する複数の目標スロットを特定する第３特定サブモジュール、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
を含む。
【００７４】
具体的に、本開示の一部実施例の前記第１取得モジュール２２は、
予めの定義に基づいて、前記目標スロットで前記フィードバック対象のアップリンク制御情報を搬送するアップリンク制御チャネルの伝送長またはフォーマットを取得する第１取得サブモジュール、および／または、
ハイレイヤシグナリングの設定に基づいて、前記目標スロットで前記フィードバック対象のアップリンク制御情報を搬送するアップリンク制御チャネルの伝送長またはフォーマットを特定する第２取得サブモジュール、および／または、
所定のダウンリンク制御チャネルの中の指示フィールドに基づいて、前記目標スロットで前記フィードバック対象のアップリンク制御情報を搬送するアップリンク制御チャネルの伝送長またはフォーマットを特定する第３取得サブモジュール、および／または、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定する第４取得サブモジュール、
を含む。
【００７５】
具体的に、本開示の一部実施例の前記送信モジュール２３は、
特定された前記アップリンク制御チャネルの伝送長またはフォーマットに基づいて、前記アップリンク制御チャネルの中のアップリンク制御情報と参照信号の伝送構造を特定する構造特定サブモジュールと、
前記伝送構造に基づいて、前記フィードバック対象のアップリンク制御情報と参照信号を搬送する前記アップリンク制御チャネルを各前記目標スロットで送信する第１送信サブモジュールと、
を含む。
【００７６】
具体的に、本開示の一部実施例の前記装置は、
所定のダウンリンク制御チャネルで送信される１つまたは複数の目標スロットで前記アップリンク制御チャネルの開始位置および／または終了位置を受信する第１位置特定モジュール、および／または、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
予め取り決められたルールに基づいて、１つまたは複数の目標スロットで前記アップリンク制御チャネルの開始位置および／または終了位置を特定する第２位置特定モジュール、
をさらに含む。
【００７７】
具体的に、本開示の一部実施例の前記送信モジュール２３は、
前記フィードバック対象のアップリンク制御情報の大きさが第１所定値以下である場合、前記フィードバック対象のアップリンク制御情報を変調して変調シンボルを得、前記変調シンボルを搬送するアップリンク制御チャネルを各前記目標スロットで繰り返して送信する第２送信サブモジュールと、
前記フィードバック対象のアップリンク制御情報の大きさが前記第１所定値より大きい場合、前記アップリンク制御チャネルで前記アップリンク制御情報を搬送するシンボル数に基づいて、前記フィードバック対象のアップリンク制御情報に対しチャネル符号化およびレートマッチングを行って符号化後の第１ビットシーケンスを得、前記第１ビットシーケンスを搬送するアップリンク制御チャネルを各前記目標スロットで繰り返して送信し、または、前記フィードバック対象のアップリンク制御情報の大きさが前記第１所定値より大きい場合、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って符号化後の第２ビットシーケンスを得、目標スロットに対応する第２ビットシーケンスのサブビットシーケンスを搬送するアップリンク制御チャネルを各前記目標スロットで送信する第３送信サブモジュールと、
を含む。
【００７８】
以上をまとめると、本開示の一部実施例のアップリンク制御チャネルの送信装置において、端末が、複数の目標スロットでアップリンク制御チャネルを伝送する必要がある場合、複数の目標スロットで、同じであるアップリンク制御チャネルの伝送長またはフォーマットにしたがってアップリンク制御チャネルの伝送を行うため、複数のスロットでアップリンク制御チャネル伝送を行うという目的を実現する。
【００７９】
なお、本開示の一部実施例のアップリンク制御チャネルの送信装置は、上記のアップリンク制御チャネルの送信方法に対応する送信装置である。上記のアップリンク制御チャネルの送信方法のすべての実施例は、当該アップリンク制御チャネルの送信装置に適用し、かつ同一または類似の効果を奏することができる。
【００８０】
上記の目的をよりよく実現するために、図３に示すように、本開示の一部実施例において、端末をさらに提供する。当該端末は、プロセッサ３００と、バスインタフェースを介して前記プロセッサ３００に接続され、前記プロセッサの操作実行に用いられるプログラムとデータを記憶するためのメモリ３２０と、バスインタフェースを介してプロセッサ３００に接続され、制御指令などを送信するトランシーバ３１０とを含む。プロセッサは、前記メモリに記憶されてプログラムとデータを呼び出して実行すると、以下のステップが実現される。
フィードバック対象のアップリンク制御情報を送信する複数の目標スロットを特定し、ここで、前記フィードバック対象のアップリンク制御情報が、前記目標スロットでアップリンク制御チャネルによって送信される。
前記目標スロットで前記フィードバック対象のアップリンク制御情報を搬送するアップリンク制御チャネルの伝送長またはフォーマットを取得し、ここで、各前記目標スロットでアップリンク制御チャネルの伝送長またはフォーマットが同じである。
特定された前記アップリンク制御チャネルの伝送長またはフォーマットにしたがって、前記フィードバック対象のアップリンク制御情報を搬送するアップリンク制御チャネルを各前記目標スロットで送信する。
【００８１】
ここで、図３において、バスアーキテクチャは、任意数の相互接続するバスとブリッジを含み、具体的に、プロセッサ３００をはじめとする１つ又は複数のプロセッサとメモリ３２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ３１０は、複数の部品であってもよく、即ち送信機と受信機を含み、伝送媒体でほかの各種類の装置と通信するユニットとして提供される。ユーザ端末によっては、ユーザインタフェース３３０は、内部接続や外部接続する機器のインタフェースであってもよい。接続する機器は、キーパッド、ディスプレイ、スピーカ、マイクロフォン、ジョイスティックなどを含むが、それらに限られない。
【００８２】
プロセッサ３００は、バスアーキテクチャと通常の処理を管理する。メモリ３２０は、プロセッサ３００による操作実行に使用されるデータを記憶できる。
【００８３】
以上をまとめると、本開示の一部実施例の端末は、複数の目標スロットでアップリンク制御チャネルを伝送する必要がある場合、複数の目標スロットで、同じであるアップリンク制御チャネルの伝送長またはフォーマットにしたがってアップリンク制御チャネルの伝送を行うため、複数のスロットでアップリンク制御チャネル伝送を行うという目的を実現する。
【００８４】
なお、本開示の一部実施例の端末は、上記のアップリンク制御チャネルの送信方法に対応する端末である。上記のアップリンク制御チャネルの送信方法のすべての実施例は、当該端末に適用し、かつ同一または類似の効果を奏することができる。
【００８５】
上記の目的をよりよく実現するために、本開示の一部実施例において、コンピュータプログラムが記憶されているコンピュータ読み取り可能な記憶媒体をさらに提供する。当該プログラムがプロセッサによって実行されると、以下のステップが実現される。
フィードバック対象のアップリンク制御情報を送信する複数の目標スロットを特定し、ここで、前記フィードバック対象のアップリンク制御情報が、前記目標スロットでアップリンク制御チャネルによって送信される。
前記目標スロットで前記フィードバック対象のアップリンク制御情報を搬送するアップリンク制御チャネルの伝送長またはフォーマットを取得し、ここで、各前記目標スロットでアップリンク制御チャネルの伝送長またはフォーマットが同じである。
特定された前記アップリンク制御チャネルの伝送長またはフォーマットにしたがって、前記フィードバック対象のアップリンク制御情報を搬送するアップリンク制御チャネルを各前記目標スロットで送信する。
【００８６】
ここで、コンピュータ読み取り可能な媒体は、永久的媒体や非永久的媒体、リムーバブル媒体やナンリムーバブル媒体を含み、あらゆる方法や技術によって情報の記憶が実現される。情報は、コンピュータ読み取り可能な指令、データ構造、プログラムのモジュールまたはほかのデータである。コンピュータデバイスからアクセス可能な情報を記憶可能なコンピュータ読み取り可能な記憶媒体の例は、ＰＲＡＭ、ＳＲＡＭ、ＤＲＡＭ、ほかのタイプのＲＡＭ、ＲＯＭ、ＥＥＰＲＯＭ、フラッシュメモリ記憶媒体またはほかの内部記憶技術、ＣＤ−ＲＯＭ、ＤＶＤまたはほかの光学的記憶媒体、磁気カセット式磁気テープ、磁気ディスクまたはほかの磁気記憶デバイスまたはほかの非伝送媒体を含むが、それらに限られない。本明細書での規定に基づき、コンピュータ読み取り可能な媒体は、変調されたデータ信号や搬送波など、一時的なコンピュータ読み取り可能な媒体（ｔｒａｎｓｉｔｏｒｙ  ｍｅｄｉａ）を含まない。
【００８７】
なお、本開示の一部実施例のコンピュータ読み取り可能な記憶媒体は、上記のアップリンク制御チャネルの送信方法に対応するコンピュータ読み取り可能な記憶媒体である。上記のアップリンク制御チャネルの送信方法のすべての実施例は、当該コンピュータ読み取り可能な記憶媒体に適用し、かつ同一または類似の効果を奏することができる。
【００８８】
アップリンク制御チャネルの伝送方法をよりよく記載するために、図４に示すように、本開示の一部実施例において、基地局側に応用されるアップリンク制御チャネルの受信方法をさらに提供し、以下のステップを含む。
【００８９】
ステップ４１において、フィードバック対象のアップリンク制御情報を送信する複数の目標スロットを特定する。ここで、前記フィードバック対象のアップリンク制御情報は、前記目標スロットでアップリンク制御チャネルによって送信される。
【００９０】
本ステップにおいて、アップリンク制御チャネルの送信方法は、通常、端末側に応用される。すなわち、端末は、フィードバック対象のアップリンク制御情報ＵＣＩを特定し、フィードバック対象のＵＣＩが複数の目標スロットでアップリンク制御チャネルによって送信されると特定する。
【００９１】
ステップ４２において、前記目標スロットで前記フィードバック対象のアップリンク制御情報を搬送するアップリンク制御チャネルの伝送長またはフォーマットを取得する。ここで、各前記目標スロットでアップリンク制御チャネルの伝送長またはフォーマットは、同じである。
【００９２】
本ステップにおいて、異なる目標スロットでフィードバック対象のＵＣＩを搬送するアップリンク制御チャネルの伝送長またはフォーマットは、同じである。たとえば、目標スロット１でフィードバック対象のＵＣＩを搬送するアップリンク制御チャネルの伝送長が７個のシンボルであると、ほかの目標スロット（たとえば目標スロット２、３など）でフィードバック対象のＵＣＩを搬送するアップリンク制御チャネルの伝送長は、いずれも７個のシンボルである。
【００９３】
ステップ４３において、特定された前記アップリンク制御チャネルの伝送長またはフォーマットにしたがって、前記フィードバック対象のアップリンク制御情報を搬送するアップリンク制御チャネルを各前記目標スロットで受信する。
【００９４】
本ステップにおいて、伝送長またはフォーマットの種類ごとに、一種の伝送構造が対応する。すなわち、対応する伝送構造にしたがって、前記フィードバック対象のＵＣＩを搬送するアップリンク制御チャネルを各目標スロットで送信する。
【００９５】
具体的に、本開示の一部実施例のステップ４１において、
予め定義された複数の目標スロットの情報に基づいて、フィードバック対象のアップリンク制御情報を送信する複数の目標スロットを特定することを含む。ここで、予めの定義は、端末と基地局の両方で守られるある標準の定義である。
具体的に、複数の目標スロットの情報は、少なくとも、複数の目標スロットの数および複数の目標スロットのＩＤを含み、たとえば、４つの目標スロット、目標スロット１、目標スロット２、目標スロット３および目標スロット４を含む。
【００９６】
さらに、本開示の一部実施例のステップ４１の後に、前記方法において、
前記複数の目標スロットの情報を、ハイレイヤシグナリングまたは所定のダウンリンク制御チャネルで端末に送信することを含む。
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである。
【００９７】
具体的に、本開示の一部実施例のステップ４２において、
予めの定義に基づいて、前記目標スロットで前記フィードバック対象のアップリンク制御情報を搬送するアップリンク制御チャネルの伝送長またはフォーマットを取得すること、または、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定することを含む。
たとえば、複数の目標スロットのうちの１つめの目標スロットのアップリンク領域の大きさに基づいてアップリンク制御チャネルの伝送長またはフォーマットを特定する。
また、たとえば、複数の目標スロットのうちのすべての目標スロットのアップリンク領域の大きさの平均値に基づいてアップリンク制御チャネルの伝送長またはフォーマットを特定する。
さらに、たとえば、複数の目標スロットのうち、アップリンク領域が最も小さい目標スロットのアップリンク領域の大きさに基づいてアップリンク制御チャネルの伝送長またはフォーマットを特定する。
【００９８】
なお、アップリンク制御チャネルの伝送長とフォーマットは、一対一に対応する。たとえば、１つの伝送長は、１つのフォーマットに一義的に対応し、または、１つのフォーマットは、１つの伝送長に一義的に対応する。同一の伝送長に複数種類のフォーマットが対応してもよく、フォーマットが特定できれば伝送長の特定ができるようになる。さらに、同一のフォーマットに複数の伝送長が対応してもよく、伝送長が特定できればフォーマットの特定ができるようになる。
【００９９】
さらに、本開示の一部実施例のステップ４２の後に、前記方法において、
前記目標スロットで前記フィードバック対象のアップリンク制御情報を搬送するアップリンク制御チャネルの伝送長またはフォーマットを、ハイレイヤシグナリングまたは所定のダウンリンク制御チャネルで端末に送信することをさらに含む。
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである。
【０１００】
具体的に、本開示の一部実施例のステップ４３において、
特定された前記アップリンク制御チャネルの伝送長またはフォーマットに基づいて、前記アップリンク制御チャネルの中のアップリンク制御情報と参照信号の伝送構造を特定することと、
前記伝送構造に基づいて、前記フィードバック対象のアップリンク制御情報と参照信号を搬送する前記アップリンク制御チャネルを各前記目標スロットで受信することと、
を含む。
【０１０１】
本開示の一部実施例において、１つの伝送長またはフォーマットは、一種のアップリンク制御情報ＵＣＩと参照信号ＲＳの伝送構造に対応する。すなわち、伝送長またはフォーマットから、アップリング制御チャネルのＵＣＩおよびＲＳマッピングの際のマッピング構造を特定することができる。すなわち、アップリンク制御チャネルが占用する複数のシンボルのうち、どのシンボルがＵＣＩ伝送に用いられ、どのシンボルがＲＳ伝送に用いられる。たとえば、伝送長が７個のシンボルであり、フォーマットがｘ１であると、対応するＵＣＩとＲＳ構造は、ＵＵＲＲＲＵＵ（またはＵＲＵＵＲＲＵ）である。ここで、Ｕは、７個のシンボルのうちＵＣＩ伝送シンボルの位置を示し、Ｒは、７個のシンボルのうち、ＲＳ伝送シンボルの位置を示す。また、たとえば、伝送長が４個のシンボルであり、フォーマットがｘ２であると、対応するＵＣＩとＲＳ構造は、ＵＲＲＵ（またはＲＵＲＵ）である。以上をまとめると、伝送長またはフォーマットが特定できれば、対応するＵＣＩとＲＳ構造の特定ができるようになり、当該構造にしたがってＵＣＩとＲＳをアップリンク制御チャネルで伝送することができる。
【０１０２】
なお、上記伝送構造は、単に本開示の一部の実施例であり、ほかの構造を有してもよい。異なる伝送長およびシンボル間のホッピングが存在するかに応じて、異なるＵＣＩとＲＳ構造を有してもよいが、本開示の注目内容ではないため、ここでは詳細に記載しない。
【０１０３】
本開示の一部実施例において、複数の目標スロットには、同じであるアップリンク領域またはアップリンク制御チャネル伝送用のアップリンク領域を含む可能性があり、異なるアップリンク領域またはアップリンク制御チャネル伝送用のアップリンク領域を含む可能性もあるため、同じである伝送長またはフォーマットのアップリンク制御チャネルは、複数の目標スロットにおける位置が同じである可能性もあり、異なる可能性もある。よって、フィードバック対象のＵＣＩを搬送するアップリンク制御チャネルの位置をより正確に特定するために、本開示の一部実施例のアップリンク制御チャネルの送信方法において、さらに、複数の目標スロットで前記アップリンク制御チャネルの開始位置および／または終了位置を特定する必要がある。
【０１０４】
具体的に、複数の目標スロットで前記アップリンク制御チャネルの開始位置および／または終了位置を特定する方法として、
予め取り決められたルールに基づいて、１つまたは複数の目標スロットで前記アップリンク制御チャネルの開始位置および／または終了位置を特定することをさらに含む。
【０１０５】
かつ前記方法において、特定された１つまたは複数の目標スロットで前記アップリンク制御チャネルの開始位置および／または終了位置を、所定のダウンリンク制御チャネルで端末に送信することをさらに含む。
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである。
【０１０６】
具体的に、複数の目標スロットのうちの各目標スロットには、同じ大きさのアップリンク領域またはアップリンク制御チャネル伝送用のアップリンク領域を含む場合、
前記アップリンク制御チャネルの各目標スロットのアップリンク領域（またはアップリンク制御チャネル伝送用のアップリンク領域）における開始位置および／または終了位置は、同じであり、予め取り決められた位置であってもよく、所定のダウンリンク制御チャネルの中の指示フィールドに基づいて特定されてもよい。
【０１０７】
複数の目標スロットのうちの少なくとも２つの目標スロットには、異なる大きさのアップリンク領域またはアップリンク制御チャネル伝送用のアップリンク領域を含む場合、
各アップリンク制御チャネルの開始位置および／または終了位置を、所定のダウンリンク制御チャネルの指示フィールドによって特定する。
ここで、複数の目標スロットのうちの各目標スロットは、１つの独立な指示に対応する。
【０１０８】
または、複数の目標スロットのうちの１つめの目標スロットでアップリンク制御チャネルの開始位置および／または終了位置は、所定のダウンリンク制御チャネルの中の指示フィールドに基づいて特定される。
ここで、前記所定のダウンリンク制御チャネルでは、１つの開始位置および／または終了位置しか指示しない。
複数の目標スロットのうちのほかの目標スロットにおいて、アップリンク制御チャネルの開始位置および／または終了位置は、予め取り決められたルールに基づいて特定される。
たとえば、前記目標サブフレームのアップリンク領域または前記アップリンク制御チャネルを伝送するためのアップリンク領域の全領域を占めると予め取り決めたり、目標サブフレームのアップリンク領域または前記アップリンク制御チャネルを伝送するためのアップリンク領域の第Ａ個のシンボルから開始すると予め取り決めたり、目標サブフレームのアップリンク領域または前記アップリンク制御チャネルを伝送するためのアップリンク領域の後方から第Ｂ個のシンボルで終了すると予め取り決めたりする。
【０１０９】
または、複数の目標スロットのうちの各目標スロットでアップリンク制御チャネルの開始位置および／または終了位置は、いずれも、予め取り決められたルールに基づいて特定される。
たとえば、前記目標サブフレームのアップリンク領域または前記アップリンク制御チャネルを伝送するためのアップリンク領域の全領域を占めると予め取り決めたり、目標サブフレームのアップリンク領域または前記アップリンク制御チャネルを伝送するためのアップリンク領域の第Ａ個のシンボルから開始すると予め取り決めたり、目標サブフレームのアップリンク領域または前記アップリンク制御チャネルを伝送するためのアップリンク領域の後方から第Ｂ個のシンボルで終了すると予め取り決めたりする。
【０１１０】
なお、目標スロットの構造を指示する情報を取得しなかったり（すなわち各目標スロットでのアップリンク領域またはアップリンク制御チャネル伝送用のアップリンク領域が特定できない）、目標スロットでアップリンク領域の大きさ（またはアップリンク制御チャネル伝送用のアップリンク領域の大きさ）が、特定された伝送長または特定されたフォーマットに対応する伝送長より小さかったり、所定のダウンリンク制御チャネルの指示または予め取り決められたルールに基づいて特定される開始位置および／または終了位置が、前記目標スロットでのアップリンク領域（またはアップリンク領域でアップリンク制御チャネル伝送用の領域）とは一致しなかったりする（たとえば指示される開始位置および／または終了位置がこの範囲にない）と、端末は、当該目標スロットを飛ばして次の目標スロットで引き続き伝送する（当該目標スロットの数は、Ｎ（予め特定されたＵＣＩ伝送用の目標スロットの数）個の目標スロットにカウントされてもよく、カウントされなくてもよい。）。
【０１１１】
さらに、上記場合において、端末は、所定のダウンリンク制御チャネルを受信し、かつアップリンク制御チャネルの開始位置および／または終了位置が所定のダウンリンク制御チャネルによって指示される場合、指示される開始位置および／または終了位置、および、特定済みの伝送長または特定済みのフォーマットに対応する伝送長に基づいて、当該目標スロットでアップリンク制御チャネル伝送を行う（すなわち、当該目標スロットでのアップリンク／ダウンリンクリソース割り当てや、当該目標スロットでのアップリンク領域またはアップリンク領域でアップリンク制御チャネル伝送用の領域の大きさにかかわらずに、端末が常に指示された位置にしたがって伝送を行う。）。または、上記場合において、端末は、常に、予め取り決められたルールで特定された当該目標スロットでの開始位置および／または終了位置、および特定済みの伝送長または特定済みのフォーマットに対応する伝送長に基づいて、当該目標スロットでアップリンク制御チャネル伝送を行う（すなわち、当該目標スロットでのアップリンク／ダウンリンクリソース割り当てや、当該目標スロットでのアップリンク領域またはアップリンク領域でアップリンク制御チャネル伝送用の領域の大きさにかかわらずに、端末が常に指示された位置にしたがって伝送を行う。）。
【０１１２】
具体的に、本開示の一部実施例のステップ４３において、以下を含む。
前記フィードバック対象のアップリンク制御情報の大きさが第１所定値以下である場合、端末が前記フィードバック対象のアップリンク制御情報を変調して得た変調シンボルを搬送するアップリンク制御チャネルを各前記目標スロットで受信する。
第１所定値は、通常、２ビットにセットされる。すなわち、フィードバック対象のＵＣＩが１ビットまたは２ビットである場合、当該１ビットまたは２ビットのＵＣＩを変調して１つの変調シンボルを得、得られた当該１つの変調シンボルは、前記複数の目標スロットの各目標スロットで、対応する伝送長またはフォーマットのアップリンク制御チャネルで繰り返して伝送される。
前記フィードバック対象のアップリンク制御情報の大きさが前記第１所定値より大きい場合、第１ビットシーケンスを搬送するアップリンク制御チャネルを各前記目標スロットで受信する。
すなわち、フィードバック対象のＵＣＩが２ビットより大きい場合、フィードバック対象のＵＣＩに対し、対応する伝送長またはフォーマットのアップリンク制御チャネルでＵＣＩを搬送するシンボル数に基づいてチャネル符号化およびレートマッチングを行って符号化後の第１ビットシーケンスを得、複数の目標スロットのうちの各目標スロットで繰り返して伝送する。
【０１１３】
または、前記フィードバック対象のアップリンク制御情報の大きさが前記第１所定値より大きい場合、目標スロットに対応する第２ビットシーケンスのサブビットシーケンスを搬送するアップリンク制御チャネルを各前記目標スロットで受信する。すなわち、フィードバック対象のＵＣＩが２ビットより大きい場合、フィードバック対象のＵＣＩに対し、対応する伝送長またはフォーマットのアップリンク制御チャネルでＵＣＩを搬送するシンボル数および目標スロットの数に基づいてチャネル符号化およびレートマッチングを行って符号化後の第２ビットシーケンスを得、目標スロットに対応するサブビットシーケンスを第２ビットシーケンスから取って当該目標スロットで伝送する。たとえば、第２ビットシーケンスが１１１０００１１１であり、目標スロットの数が３であり、それぞれ目標スロット１、目標スロット２および目標スロット３であり、目標スロット１に対応するサブビットシーケンスが１１１であり、目標スロット２に対応するサブビットシーケンスが０００であり、目標スロット３に対応するサブビットシーケンスが１１１であると、目標スロット１では、サブビットシーケンス１１１が搬送されるアップリンク制御チャネルを伝送し、目標スロット２では、サブビットシーケンス０００が搬送されるアップリンク制御チャネルを伝送し、目標スロット３では、サブビットシーケンス１１１が搬送されるアップリンク制御チャネルを伝送する。
【０１１４】
ここで、前記第１ビットシーケンスは、端末が、前記アップリンク制御チャネルで前記アップリンク制御情報を搬送するシンボル数に基づいて、前記フィードバック対象のアップリンク制御情報に対しチャネル符号化およびレートマッチングを行って得た符号化後のビットシーケンスである。前記第２ビットシーケンスは、端末が、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って得た符号化後のビットシーケンスである。
【０１１５】
さらに、本開示の一部実施例において、基地局がアップリンク制御チャネルを受信してから、前記方法において、
前記フィードバック対象のアップリンク制御情報を前記アップリンク制御チャネルから取得するステップ４４をさらに含む。
【０１１６】
具体的に、ステップ４４において、
前記フィードバック対象のアップリンク制御情報の大きさが第１所定値以下である場合、各前記目標スロットで受信した変調シンボルを合併し（変調シンボルの合併であってもよく、ビットの合併であってもよい）、合併後の変調シンボルに基づいて、前記フィードバック対象のアップリンク制御情報を特定する。
前記フィードバック対象のアップリンク制御情報の大きさが第１所定値より大きい場合、各前記目標スロットで受信した第１ビットシーケンスを合併し、合併後の第１ビットシーケンスを復号して前記フィードバック対象のアップリンク制御情報を特定する。または、各前記目標スロットで受信した変調シンボルシーケンスであって第１ビットシーケンスに対応する変調シンボルシーケンスを合併し、合併後の変調シンボルシーケンスに基づいて第１ビットシーケンスを得、前記第１ビットシーケンスを復号して前記フィードバック対象のアップリンク制御情報を特定する。すなわち、基地局は、各目標スロットで受信した情報を合併し、端末から送信されるＵＣＩを得る。または、各前記目標スロットで受信した第２ビットシーケンスのサブシーケンスをカスケード接続して第２ビットシーケンスを得、前記第２ビットシーケンスを復号して前記フィードバック対象のアップリンク制御情報を特定する。すなわち、基地局は、各目標スロットで受信した情報をカスケード接続してチャネル復号を行って、端末から送信されるＵＣＩを得る。
【０１１７】
以上をまとめると、本開示の一部実施例のアップリンク制御チャネルの受信方法において、端末が、複数の目標スロットでアップリンク制御チャネルを伝送する必要がある場合、基地局が、複数の目標スロットで、同じであるアップリンク制御チャネルの伝送長またはフォーマットにしたがってアップリンク制御チャネルの受信を行うため、複数のスロットでアップリンク制御チャネル伝送を行うという目的を実現する。
【０１１８】
上記の目的をよりよく実現するために、図５に示すように、本開示の一部実施例のアップリンク制御チャネルの受信装置は、第２特定モジュール５１と、第２取得モジュール５２と、受信モジュール５３とを含む。
第２特定モジュール５１は、フィードバック対象のアップリンク制御情報を送信する複数の目標スロットを特定し、ここで、前記フィードバック対象のアップリンク制御情報が、前記目標スロットでアップリンク制御チャネルによって送信される。
第２取得モジュール５２は、前記目標スロットで前記フィードバック対象のアップリンク制御情報を搬送するアップリンク制御チャネルの伝送長またはフォーマットを取得し、ここで、各前記目標スロットでアップリンク制御チャネルの伝送長またはフォーマットが同じである。
受信モジュール５３は、特定された前記アップリンク制御チャネルの伝送長またはフォーマットにしたがって、前記フィードバック対象のアップリンク制御情報を搬送するアップリンク制御チャネルを各前記目標スロットで受信する。
【０１１９】
具体的に、本開示の一部実施例の前記第２特定モジュールは、
予め定義された複数の目標スロットの情報に基づいて、フィードバック対象のアップリンク制御情報を送信する複数の目標スロットを特定する第４特定サブモジュールを含む。
【０１２０】
具体的に、本開示の一部実施例の前記装置において、
前記複数の目標スロットの情報を、ハイレイヤシグナリングまたは所定のダウンリンク制御チャネルで端末に送信する第１情報送信モジュールをさらに含む。
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである。
【０１２１】
具体的に、本開示の一部実施例の前記第２取得モジュールは、
予めの定義に基づいて、前記目標スロットで前記フィードバック対象のアップリンク制御情報を搬送するアップリンク制御チャネルの伝送長またはフォーマットを取得する第５取得サブモジュール、または、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定する第６取得サブモジュール、
を含む。
【０１２２】
具体的に、本開示の一部実施例の前記装置において、
前記目標スロットで前記フィードバック対象のアップリンク制御情報を搬送するアップリンク制御チャネルの伝送長またはフォーマットを、ハイレイヤシグナリングまたは所定のダウンリンク制御チャネルで端末に送信する第２情報送信モジュールをさらに含む。
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである。
【０１２３】
具体的に、本開示の一部実施例の前記受信モジュールは、
特定された前記アップリンク制御チャネルの伝送長またはフォーマットに基づいて、前記アップリンク制御チャネルの中のアップリンク制御情報と参照信号の伝送構造を特定する伝送構造特定サブモジュールと、
前記伝送構造に基づいて、前記フィードバック対象のアップリンク制御情報と参照信号を搬送する前記アップリンク制御チャネルを各前記目標スロットで受信する第１受信サブモジュールと、
を含む。
【０１２４】
具体的に、本開示の一部実施例の前記装置において、
予め取り決められたルールに基づいて、１つまたは複数の目標スロットで前記アップリンク制御チャネルの開始位置および／または終了位置を特定する第３位置特定モジュールをさらに含む。
【０１２５】
具体的に、本開示の一部実施例の前記装置において、
特定された１つまたは複数の目標スロットで前記アップリンク制御チャネルの開始位置および／または終了位置を、所定のダウンリンク制御チャネルで端末に送信する第３情報送信モジュールをさらに含む。
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである。
【０１２６】
具体的に、本開示の一部実施例の前記受信モジュールは、
前記フィードバック対象のアップリンク制御情報の大きさが第１所定値以下である場合、端末が前記フィードバック対象のアップリンク制御情報を変調して得た変調シンボルを搬送するアップリンク制御チャネルを各前記目標スロットで受信する第２受信サブモジュールと、
前記フィードバック対象のアップリンク制御情報の大きさが前記第１所定値より大きい場合、第１ビットシーケンスを搬送するアップリンク制御チャネルを各前記目標スロットで受信し、または、前記フィードバック対象のアップリンク制御情報の大きさが前記第１所定値より大きい場合、目標スロットに対応する第２ビットシーケンスのサブビットシーケンスを搬送するアップリンク制御チャネルを各前記目標スロットで受信する第３受信サブモジュールと、
を含む。
ここで、前記第１ビットシーケンスは、端末が、前記アップリンク制御チャネルで前記アップリンク制御情報を搬送するシンボル数に基づいて、前記フィードバック対象のアップリンク制御情報に対しチャネル符号化およびレートマッチングを行って得た符号化後のビットシーケンスである。前記第２ビットシーケンスは、端末が、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って得た符号化後のビットシーケンスである。
【０１２７】
具体的に、本開示の一部実施例の前記装置において、
前記フィードバック対象のアップリンク制御情報を前記アップリンク制御チャネルから取得する情報取得モジュールをさらに含む。
【０１２８】
具体的に、本開示の一部実施例の前記情報取得モジュールは、
前記フィードバック対象のアップリンク制御情報の大きさが第１所定値以下である場合、各前記目標スロットで受信した変調シンボルを合併し、合併後の変調シンボルに基づいて、前記フィードバック対象のアップリンク制御情報を特定する第１情報取得サブモジュールと、
前記フィードバック対象のアップリンク制御情報の大きさが第１所定値より大きい場合、各前記目標スロットで受信した第１ビットシーケンスを合併し、合併後の第１ビットシーケンスを復号して前記フィードバック対象のアップリンク制御情報を特定し、または、各前記目標スロットで受信した変調シンボルシーケンスであって第１ビットシーケンスに対応する変調シンボルシーケンスを合併し、合併後の変調シンボルシーケンスに基づいて第１ビットシーケンスを得、前記第１ビットシーケンスを復号して前記フィードバック対象のアップリンク制御情報を特定し、または、各前記目標スロットで受信した第２ビットシーケンスのサブシーケンスをカスケード接続して第２ビットシーケンスを得、前記第２ビットシーケンスを復号して前記フィードバック対象のアップリンク制御情報を特定する第２情報取得サブモジュールと、
を含む。
【０１２９】
以上をまとめると、本開示の一部実施例のアップリンク制御チャネルの受信装置において、端末が、複数の目標スロットでアップリンク制御チャネルを伝送する必要がある場合、基地局が、複数の目標スロットで、同じであるアップリンク制御チャネルの伝送長またはフォーマットにしたがってアップリンク制御チャネルの受信を行うため、複数のスロットでアップリンク制御チャネル伝送を行うという目的を実現する。
【０１３０】
なお、本開示の一部実施例のアップリンク制御チャネルの受信装置は、上記のアップリンク制御チャネルの受信方法に対応する受信装置である。上記のアップリンク制御チャネルの受信方法のすべての実施例は、当該アップリンク制御チャネルの受信装置に適用し、かつ同一または類似の効果を奏することができる。
【０１３１】
上記の目的をよりよく実現するために、図６に示すように、本開示の一部実施例において、プロセッサ６００と、バスインタフェースを介して前記プロセッサ６００に接続され、前記プロセッサの操作実行に用いられるプログラムとデータを記憶するためのメモリ６２０と、バスインタフェースを介してプロセッサ６００に接続され、制御指令を送信するトランシーバ６１０とを含む基地局をさらに提供する。プロセッサ６００が前記メモリ６２０に記憶されているプログラムとデータを呼び出して実行すると、以下のステップが実現される。
フィードバック対象のアップリンク制御情報を送信する複数の目標スロットを特定し、ここで、前記フィードバック対象のアップリンク制御情報が、前記目標スロットでアップリンク制御チャネルによって送信される。
前記目標スロットで前記フィードバック対象のアップリンク制御情報を搬送するアップリンク制御チャネルの伝送長またはフォーマットを取得し、ここで、各前記目標スロットでアップリンク制御チャネルの伝送長またはフォーマットが同じである。
特定された前記アップリンク制御チャネルの伝送長またはフォーマットにしたがって、前記フィードバック対象のアップリンク制御情報を搬送するアップリンク制御チャネルを各前記目標スロットで受信する。
【０１３２】
ここで、図６において、バスアーキテクチャは、任意数の相互接続するバスとブリッジを含み、具体的に、プロセッサ６００をはじめとする１つ又は複数のプロセッサとメモリ６２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ６１０は、複数の部品であってもよく、即ち送信機と受信機を含み、伝送媒体でほかの各種類の装置と通信するユニットとして提供される。プロセッサ６００は、バスアーキテクチャと通常の処理を管理する。メモリ６２０は、プロセッサ６００による操作実行に使用されるデータを記憶できる。
【０１３３】
プロセッサ６００は、バスアーキテクチャと通常の処理を管理する。メモリ６２０は、プロセッサ６００による操作実行に使用されるデータを記憶できる。
【０１３４】
以上をまとめると、本開示の一部実施例の基地局において、端末が、複数の目標スロットでアップリンク制御チャネルを伝送する必要がある場合、基地局が、複数の目標スロットで、同じであるアップリンク制御チャネルの伝送長またはフォーマットにしたがってアップリンク制御チャネルの受信を行うため、複数のスロットでアップリンク制御チャネル伝送を行うという目的を実現する。
【０１３５】
なお、本開示の一部実施例の基地局は、上記のアップリンク制御チャネルの受信方法に対応する基地局である。上記のアップリンク制御チャネルの受信方法のすべての実施例は、当該基地局に適用し、かつ同一または類似の効果を奏することができる。
【０１３６】
上記の目的をよりよく実現するために、本開示の一部実施例において、コンピュータプログラムが記憶されているコンピュータ読み取り可能な記憶媒体をさらに提供する。当該プログラムがプロセッサによって実行されると、以下のステップが実現される。
フィードバック対象のアップリンク制御情報を送信する複数の目標スロットを特定し、ここで、前記フィードバック対象のアップリンク制御情報が、前記目標スロットでアップリンク制御チャネルによって送信される。
前記目標スロットで前記フィードバック対象のアップリンク制御情報を搬送するアップリンク制御チャネルの伝送長またはフォーマットを取得し、ここで、各前記目標スロットでアップリンク制御チャネルの伝送長またはフォーマットが同じである。
特定された前記アップリンク制御チャネルの伝送長またはフォーマットにしたがって、前記フィードバック対象のアップリンク制御情報を搬送するアップリンク制御チャネルを各前記目標スロットで受信する。
【０１３７】
ここで、コンピュータ読み取り可能な媒体は、永久的媒体や非永久的媒体、リムーバブル媒体やナンリムーバブル媒体を含み、あらゆる方法や技術によって情報の記憶が実現される。情報は、コンピュータ読み取り可能な指令、データ構造、プログラムのモジュールまたはほかのデータである。コンピュータデバイスからアクセス可能な情報を記憶可能なコンピュータ読み取り可能な記憶媒体の例は、ＰＲＡＭ、ＳＲＡＭ、ＤＲＡＭ、ほかのタイプのＲＡＭ、ＲＯＭ、ＥＥＰＲＯＭ、フラッシュメモリ記憶媒体またはほかの内部記憶技術、ＣＤ−ＲＯＭ、ＤＶＤまたはほかの光学的記憶媒体、磁気カセット式磁気テープ、磁気ディスクまたはほかの磁気記憶デバイスまたはほかの非伝送媒体を含むが、それらに限られない。本明細書での規定に基づき、コンピュータ読み取り可能な媒体は、変調されたデータ信号や搬送波など、一時的なコンピュータ読み取り可能な媒体（ｔｒａｎｓｉｔｏｒｙ  ｍｅｄｉａ）を含まない。
【０１３８】
なお、本開示の一部実施例のコンピュータ読み取り可能な記憶媒体は、上記のアップリンク制御チャネルの受信方法に対応するコンピュータ読み取り可能な記憶媒体である。上記のアップリンク制御チャネルの受信方法のすべての実施例は、当該コンピュータ読み取り可能な記憶媒体に適用し、かつ同一または類似の効果を奏することができる。
【０１３９】
上記の目的をよりよく実現するために、以下、図面を参照しながら本開示の一部実施例のアップリンク制御チャネルの送信方法および受信方法を例示して説明する。
【０１４０】
１つのスロットに７個のシンボル（ＯＦＤＭまたはＳＣ−ＦＤＭＡシンボル）を含むとし、１つのアップリンク制御チャネル（ＰＵＣＣＨ）は、２つの目標スロットで伝送されると取り決められまたは設定される。設定される場合、たとえば周期性ＣＳＩ／ＳＲフィードバックに対しハイレイヤシグナリングによって予め設定されてもよく、たとえばＡＣＫ／ＮＡＣＫフィードバックに対しダウンリンク制御チャネルによって設定される。ＨＡＲＱフィードバック時系列は、１つ前のスロットでダウンリンク伝送のＡＣＫ／ＮＡＣＫが１つ後のスロットのアップリンク領域からフィードバックを開始してもよく、現在のスロットでダウンリンク伝送のＡＣＫ／ＮＡＣＫが現在のスロットのアップリンク領域からフィードバックを開始してもよい。ＨＡＲＱフィードバック時系列関係は、予め定義されてもよく、ハイレイヤシグナリングまたは上記ダウンリンク制御チャネルの中の関連指示フィールドによって設定されてもよい。
【０１４１】
ケース１：複数の目標スロットのアップリンク領域は、同じである。図７に示すように、スロットｉとスロットｉ＋１の構造は、ともに、２つのシンボルがダウンリンク領域であり、１つのシンボルがＧＰであり、４つのシンボルがアップリンク領域である。
【０１４２】
端末は、周期性ＵＣＩのフィードバック周期に基づいて、スロットｉでのＣＳＩ／ＳＲフィードバックが必要であると特定し、予めの取り決め、または、ハイレイヤシグナリングの所定設定、または、２つのスロットのうちの少なくとも１つのスロットのアップリンク領域（またはアップリンク領域でアップリンク制御チャネル伝送用の領域）の大きさに基づいて、アップリンク制御チャネルＰＵＣＣＨの伝送長が４つのシンボルであると特定する。または、端末は、上記ＨＡＲＱフィードバック時系列に基づいて、スロットｉでのＡＣＫ／ＮＡＣＫフィードバックが必要であると特定し、予めの取り決め、または、ハイレイヤシグナリングの所定設定、または２つのスロットのうちの少なくとも１つのスロットのアップリンク領域（またはアップリンク領域でアップリンク制御チャネル伝送用の領域）の大きさ、または、アップリンク制御チャネルに対応するダウンリンク制御チャネルの中の指示フィールドに基づいて、ＰＵＣＣＨの伝送長が４つのシンボルであると特定する。
【０１４３】
すると、スロットｉとスロットｉ＋１のアップリンク領域において、ともに、図７のＰＵＣＣＨ１とＰＵＣＣＨ２のように、長さが４であるＰＵＣＣＨのＵＣＩとＲＳ構造にしたがって伝送を行う。ここで、ＰＵＣＣＨは、各スロットでアップリンク制御領域の１つめのシンボルから伝送を開始する。もちろん、ＰＵＣＣＨのアップリンク領域での開始位置および／または終了位置は、シグナリングによって通知されてもよく、たとえば対応するダウンリンク制御チャネルによって通知される。すると、アップリンク領域の任意部分のシンボルでのＰＵＣＣＨ伝送が実現され、１つめのスロットのみに対し通知してもよく、スロット毎に対応する通知シグナリングを有してもよい。すると、異なるスロットでの伝送位置は、異なってもよい。
【０１４４】
ＵＣＩが２ビット以下である場合、ＵＣＩは、各スロットで繰り返して伝送される。各スロットにおいて、特定済みの同一伝送長に対応するＵＣＩとＲＳ構造に基づいて伝送を行う。基地局側は、同様の伝送長でスロットｉとスロットｉ＋１でアップリンク制御チャネルを受信し、２つのスロットの中のＵＣＩを合併して最終のＵＣＩを得る。２ビットを超えた場合、各スロットで繰り返して伝送される。すなわち、端末側は、伝送長で特定されたＵＣＩとＲＳ構造の中のＵＣＩの伝送シンボル数に基づいてチャネル符号化およびレートマッチングを行い、２つのスロットで同じ符号化後のシーケンスを繰り返して伝送する。基地局側は、同様の伝送長でスロットｉとスロットｉ＋１でアップリンク制御チャネルを受信し、２つのスロットで受信したＵＣＩ情報を合併して最終のＵＣＩ情報を得る。２つのｓｌｏｔで統合符号化伝送を行ってもよい。すなわち、端末側は、２つのスロットで伝送長で特定されたＵＣＩとＲＳ構造の中のＵＣＩの伝送シンボル総数に基づいてチャネル符号化およびレートマッチングを行い、２つの部分に分けてそれぞれ２つのスロットで伝送する。基地局側は、同様の伝送長でスロットｉとスロットｉ＋１でアップリンク制御チャネルを受信し、２つのスロットで受信したＵＣＩ情報をカスケード接続してチャネル復号を行って、最終のＵＣＩ情報を得る。
【０１４５】
ケース２：複数の目標スロットのアップリンク領域は、異なる。図８に示すように、スロットｉの構造として、２つのシンボルがダウンリンク伝送であり、１つのシンボルがＧＰであり、４つのシンボルがアップリンク伝送であるが、スロットｉ＋１の構造として、すべてアップリンクであり、すなわち７つのシンボルがすべてアップリンク伝送である。または、図９に示すように、スロットｉの構造として、２つのシンボルがダウンリンク伝送であり、１つのシンボルがＧＰであり、４つのシンボルがアップリンク伝送であるが、スロットｉ＋１の構造として、１つのシンボルがダウンリンク伝送であり、１つのシンボルがＧＰであり、５つのシンボルがアップリンク伝送である
【０１４６】
端末は、周期性ＵＣＩのフィードバック周期に基づいて、スロットｉでのＣＳＩ／ＳＲフィードバックが必要であると特定し、予めの取り決め、または、ハイレイヤシグナリングの所定設定、または、２つのスロットのうちの少なくとも１つのスロットのアップリンク領域（またはアップリンク領域でアップリンク制御チャネル伝送用の領域）の大きさに基づいて、アップリンク制御チャネルＰＵＣＣＨの伝送長が４つのシンボルであると特定する。または、端末は、上記ＨＡＲＱフィードバック時系列に基づいて、スロットｉでのＡＣＫ／ＮＡＣＫフィードバックが必要であると特定し、予めの取り決め、または、ハイレイヤシグナリングの所定設定、または２つのスロットのうちの少なくとも１つのスロットのアップリンク領域（またはアップリンク領域でアップリンク制御チャネル伝送用の領域）の大きさ（たとえば１つめのスロットのアップリンク領域の大きさ、または、複数のスロットのアップリンク領域のうちの最小値）、または、アップリンク制御チャネルに対応するダウンリンク制御チャネルの中の指示フィールドに基づいて、ＰＵＣＣＨの伝送長が４つのシンボルであると特定する。
【０１４７】
すると、スロットｉとスロットｉ＋１のアップリンク領域において、ともに、図８のＰＵＣＣＨ１とＰＵＣＣＨ２または図９のＰＵＣＣＨ１とＰＵＣＣＨ２のように、長さが４であるＰＵＣＣＨのＵＣＩとＲＳ構造にしたがって伝送を行う。ここで、ＰＵＣＣＨは、各スロットでＵＬ領域の末尾のシンボルで伝送を終了する。すなわち、常にアップリンク領域の最後の４つのシンボルを占用して伝送する。もちろん、アップリンク領域の最初のシンボルから伝送を開始してもよい。すなわち、常にアップリンク領域の前から４つのシンボルを占用して伝送する。もちろん、ＰＵＣＣＨのアップリンク領域での開始位置および／または終了位置は、シグナリングによって通知されてもよく、たとえば対応するダウンリンク制御チャネルによって通知される。すると、アップリンク領域の任意部分のシンボルでのＰＵＣＣＨ伝送が実現され、１つめのスロットのみに対し通知してもよく、スロット毎に対応する通知シグナリングを有してもよい。すると、異なるスロットでの伝送位置は、異なってもよい。
【０１４８】
ＵＣＩが２ビット以下でありまたは２ビットを超えた場合の伝送方法は、上記ケース１とは同じく、繰り返して記載しない。
【０１４９】
なお、一部の実施例におけるスロット構造は、例示に過ぎず、各スロットに１４個のシンボルを含む場合の動作方式も同様である。上記ＰＵＣＣＨを４つのシンボル長（または４つのシンボル長に対応するフォーマット）で伝送することは、例示に過ぎない。ＰＵＣＣＨは、４〜１４の任意の整数の長さであるほかのシンボル長／フォーマットで伝送されてもよく、動作方式も同様であるため、繰り返して記載しない。
【０１５０】
以上記載されたのは、本開示の一部の実施形態である。なお、当業者は、本開示に記載されている原理を逸脱せずに様々な改良や修飾をすることもできる。これらの改良や修飾も、本開示の保護範囲として見なされるべきである。
【図１】
2020523884.tif 000003
【図２】
2020523884.tif 000004
【図３】
2020523884.tif 000005
【図４】
2020523884.tif 000006
【図５】
2020523884.tif 000007
【図６】
2020523884.tif 000008
【図７】
2020523884.tif 000009
【図８】
2020523884.tif 000010
【図９】
2020523884.tif 000011
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
アップリンク制御チャネルの送信方法において、
フィードバック対象のアップリンク制御情報を送信する複数の目標スロットを特定することと、
ここで、前記フィードバック対象のアップリンク制御情報が、前記目標スロットでアップリンク制御チャネルによって送信され、
前記目標スロットで前記フィードバック対象のアップリンク制御情報を搬送するアップリンク制御チャネルの伝送長またはフォーマットを取得することと、
ここで、各前記目標スロットでアップリンク制御チャネルの伝送長またはフォーマットが同じであり、
特定された前記アップリンク制御チャネルの伝送長またはフォーマットにしたがって、前記フィードバック対象のアップリンク制御情報を搬送するアップリンク制御チャネルを各前記目標スロットで送信することと、
を含む、アップリンク制御チャネルの送信方法。
【請求項２】
前記のフィードバック対象のアップリンク制御情報を送信する複数の目標スロットを特定することは、
予め定義された複数の目標スロットの情報に基づいて、フィードバック対象のアップリンク制御情報を送信する複数の目標スロットを特定すること、または、
ハイレイヤシグナリングで設定される複数の目標スロットの情報に基づいて、フィードバック対象のアップリンク制御情報を送信する複数の目標スロットを特定すること、または、
所定のダウンリンク制御チャネルで送信される複数の目標スロットの情報を受信し、フィードバック対象のアップリンク制御情報を送信する複数の目標スロットを特定すること、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
を含む、請求項１に記載の方法。
【請求項３】
前記の前記目標スロットで前記フィードバック対象のアップリンク制御情報を搬送するアップリンク制御チャネルの伝送長またはフォーマットを取得することは、
予めの定義に基づいて、前記目標スロットで前記フィードバック対象のアップリンク制御情報を搬送するアップリンク制御チャネルの伝送長またはフォーマットを取得すること、または、
ハイレイヤシグナリングの設定に基づいて、前記目標スロットで前記フィードバック対象のアップリンク制御情報を搬送するアップリンク制御チャネルの伝送長またはフォーマットを特定すること、または、
所定のダウンリンク制御チャネルの中の指示フィールドに基づいて、前記目標スロットで前記フィードバック対象のアップリンク制御情報を搬送するアップリンク制御チャネルの伝送長またはフォーマットを特定すること、または、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定すること、
を含む、請求項１に記載の方法。
【請求項４】
前記の特定された前記アップリンク制御チャネルの伝送長またはフォーマットにしたがって、前記フィードバック対象のアップリンク制御情報を搬送するアップリンク制御チャネルを各前記目標スロットで送信することは、
特定された前記アップリンク制御チャネルの伝送長またはフォーマットに基づいて、前記アップリンク制御チャネルの中のアップリンク制御情報と参照信号の伝送構造を特定することと、
前記伝送構造に基づいて、前記フィードバック対象のアップリンク制御情報と参照信号を搬送する前記アップリンク制御チャネルを各前記目標スロットで送信することと、
を含む、請求項１に記載の方法。
【請求項５】
所定のダウンリンク制御チャネルで送信される１つまたは複数の目標スロットで前記アップリンク制御チャネルの開始位置および／または終了位置を受信すること、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
および／または、
予め取り決められたルールに基づいて、１つまたは複数の目標スロットで前記アップリンク制御チャネルの開始位置および／または終了位置を特定すること、
をさらに含む、請求項４に記載の方法。
【請求項６】
前記の前記フィードバック対象のアップリンク制御情報を搬送するアップリンク制御チャネルを各前記目標スロットで送信することは、
前記フィードバック対象のアップリンク制御情報の大きさが第１所定値以下である場合、前記フィードバック対象のアップリンク制御情報を変調して変調シンボルを得、前記変調シンボルを搬送するアップリンク制御チャネルを各前記目標スロットで繰り返して送信することと、
前記フィードバック対象のアップリンク制御情報の大きさが前記第１所定値より大きい場合、前記アップリンク制御チャネルで前記アップリンク制御情報を搬送するシンボル数に基づいて、前記フィードバック対象のアップリンク制御情報に対しチャネル符号化およびレートマッチングを行って符号化後の第１ビットシーケンスを得、前記第１ビットシーケンスを搬送するアップリンク制御チャネルを各前記目標スロットで繰り返して送信し、または、前記フィードバック対象のアップリンク制御情報の大きさが前記第１所定値より大きい場合、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って符号化後の第２ビットシーケンスを得、目標スロットに対応する第２ビットシーケンスのサブビットシーケンスを搬送するアップリンク制御チャネルを各前記目標スロットで送信することと、
を含む、請求項１に記載の方法。
【請求項７】
アップリンク制御チャネルの受信方法において、
フィードバック対象のアップリンク制御情報を送信する複数の目標スロットを特定することと、
ここで、前記フィードバック対象のアップリンク制御情報が、前記目標スロットでアップリンク制御チャネルによって送信され、
前記目標スロットで前記フィードバック対象のアップリンク制御情報を搬送するアップリンク制御チャネルの伝送長またはフォーマットを取得することと、
ここで、各前記目標スロットでアップリンク制御チャネルの伝送長またはフォーマットが同じであり、
特定された前記アップリンク制御チャネルの伝送長またはフォーマットにしたがって、前記フィードバック対象のアップリンク制御情報を搬送するアップリンク制御チャネルを各前記目標スロットで受信することと、
を含む、アップリンク制御チャネルの受信方法。
【請求項８】
前記のフィードバック対象のアップリンク制御情報を送信する複数の目標スロットを特定することは、
予め定義された複数の目標スロットの情報に基づいて、フィードバック対象のアップリンク制御情報を送信する複数の目標スロットを特定すること、
を含み、
または、
前記のフィードバック対象のアップリンク制御情報を送信する複数の目標スロットを特定することの後に、前記方法は、
前記複数の目標スロットの情報を、ハイレイヤシグナリングまたは所定のダウンリンク制御チャネルで端末に送信することを含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである、請求項７に記載の方法。
【請求項９】
前記の前記目標スロットで前記フィードバック対象のアップリンク制御情報を搬送するアップリンク制御チャネルの伝送長またはフォーマットを取得することは、
予めの定義に基づいて、前記目標スロットで前記フィードバック対象のアップリンク制御情報を搬送するアップリンク制御チャネルの伝送長またはフォーマットを取得すること、または、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定すること、
を含み、
または、
前記の前記目標スロットで前記フィードバック対象のアップリンク制御情報を搬送するアップリンク制御チャネルの伝送長またはフォーマットを取得することの後に、前記方法は、
前記目標スロットで前記フィードバック対象のアップリンク制御情報を搬送するアップリンク制御チャネルの伝送長またはフォーマットを、ハイレイヤシグナリングまたは所定のダウンリンク制御チャネルで端末に送信することをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである、請求項７に記載の方法。
【請求項１０】
前記の特定された前記アップリンク制御チャネルの伝送長またはフォーマットにしたがって、前記フィードバック対象のアップリンク制御情報を搬送するアップリンク制御チャネルを各前記目標スロットで受信することは、
特定された前記アップリンク制御チャネルの伝送長またはフォーマットに基づいて、前記アップリンク制御チャネルの中のアップリンク制御情報と参照信号の伝送構造を特定することと、
前記伝送構造に基づいて、前記フィードバック対象のアップリンク制御情報と参照信号を搬送する前記アップリンク制御チャネルを各前記目標スロットで受信することと、
を含む、請求項７に記載の方法。
【請求項１１】
予め取り決められたルールに基づいて、１つまたは複数の目標スロットで前記アップリンク制御チャネルの開始位置および／または終了位置を特定することをさらに含み、
または、
特定された１つまたは複数の目標スロットで前記アップリンク制御チャネルの開始位置および／または終了位置を、所定のダウンリンク制御チャネルで端末に送信することをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである、請求項１０に記載の方法。
【請求項１２】
前記の前記フィードバック対象のアップリンク制御情報を搬送するアップリンク制御チャネルを各前記目標スロットで受信することは、
前記フィードバック対象のアップリンク制御情報の大きさが第１所定値以下である場合、端末が前記フィードバック対象のアップリンク制御情報を変調して得た変調シンボルを搬送するアップリンク制御チャネルを各前記目標スロットで受信することと、
前記フィードバック対象のアップリンク制御情報の大きさが前記第１所定値より大きい場合、第１ビットシーケンスを搬送するアップリンク制御チャネルを各前記目標スロットで受信し、または、前記フィードバック対象のアップリンク制御情報の大きさが前記第１所定値より大きい場合、目標スロットに対応する第２ビットシーケンスのサブビットシーケンスを搬送するアップリンク制御チャネルを各前記目標スロットで受信することと、
を含み、
ここで、前記第１ビットシーケンスは、端末が、前記アップリンク制御チャネルで前記アップリンク制御情報を搬送するシンボル数に基づいて、前記フィードバック対象のアップリンク制御情報に対しチャネル符号化およびレートマッチングを行って得た符号化後のビットシーケンスであり、
前記第２ビットシーケンスは、端末が、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って得た符号化後のビットシーケンスである、請求項７に記載の方法。
【請求項１３】
第１特定モジュールと、第１取得モジュールと、送信モジュールとを含むアップリンク制御チャネルの送信装置において、
第１特定モジュールは、フィードバック対象のアップリンク制御情報を送信する複数の目標スロットを特定し、
ここで、前記フィードバック対象のアップリンク制御情報が、前記目標スロットでアップリンク制御チャネルによって送信され、
第１取得モジュールは、前記目標スロットで前記フィードバック対象のアップリンク制御情報を搬送するアップリンク制御チャネルの伝送長またはフォーマットを取得し、
ここで、各前記目標スロットでアップリンク制御チャネルの伝送長またはフォーマットが同じであり、
送信モジュールは、特定された前記アップリンク制御チャネルの伝送長またはフォーマットにしたがって、前記フィードバック対象のアップリンク制御情報を搬送するアップリンク制御チャネルを各前記目標スロットで送信する、アップリンク制御チャネルの送信装置。
【請求項１４】
前記第１特定モジュールは、
予め定義された複数の目標スロットの情報に基づいて、フィードバック対象のアップリンク制御情報を送信する複数の目標スロットを特定する第１特定サブモジュール、および／または、
ハイレイヤシグナリングで設定される複数の目標スロットの情報に基づいて、フィードバック対象のアップリンク制御情報を送信する複数の目標スロットを特定する第２特定サブモジュール、および／または、
所定のダウンリンク制御チャネルで送信される複数の目標スロットの情報を受信し、フィードバック対象のアップリンク制御情報を送信する複数の目標スロットを特定する第３特定サブモジュール、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
を含む、請求項１３に記載の装置。
【請求項１５】
前記第１取得モジュールは、
予めの定義に基づいて、前記目標スロットで前記フィードバック対象のアップリンク制御情報を搬送するアップリンク制御チャネルの伝送長またはフォーマットを取得する第１取得サブモジュール、および／または、
ハイレイヤシグナリングの設定に基づいて、前記目標スロットで前記フィードバック対象のアップリンク制御情報を搬送するアップリンク制御チャネルの伝送長またはフォーマットを特定する第２取得サブモジュール、および／または、
所定のダウンリンク制御チャネルの中の指示フィールドに基づいて、前記目標スロットで前記フィードバック対象のアップリンク制御情報を搬送するアップリンク制御チャネルの伝送長またはフォーマットを特定する第３取得サブモジュール、および／または、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定する第４取得サブモジュール、
を含む、請求項１３に記載の装置。
【請求項１６】
前記送信モジュールは、
特定された前記アップリンク制御チャネルの伝送長またはフォーマットに基づいて、前記アップリンク制御チャネルの中のアップリンク制御情報と参照信号の伝送構造を特定する構造特定サブモジュールと、
前記伝送構造に基づいて、前記フィードバック対象のアップリンク制御情報と参照信号を搬送する前記アップリンク制御チャネルを各前記目標スロットで送信する第１送信サブモジュールと、
を含む、請求項１３に記載の装置。
【請求項１７】
所定のダウンリンク制御チャネルで送信される１つまたは複数の目標スロットで前記アップリンク制御チャネルの開始位置および／または終了位置を受信する第１位置特定モジュール、および／または、
ここで、前記の所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つであり、
予め取り決められたルールに基づいて、１つまたは複数の目標スロットで前記アップリンク制御チャネルの開始位置および／または終了位置を特定する第２位置特定モジュール、
をさらに含む、請求項１６に記載の装置。
【請求項１８】
前記送信モジュールは、
前記フィードバック対象のアップリンク制御情報の大きさが第１所定値以下である場合、前記フィードバック対象のアップリンク制御情報を変調して変調シンボルを得、前記変調シンボルを搬送するアップリンク制御チャネルを各前記目標スロットで繰り返して送信する第２送信サブモジュールと、
前記フィードバック対象のアップリンク制御情報の大きさが前記第１所定値より大きい場合、前記アップリンク制御チャネルで前記アップリンク制御情報を搬送するシンボル数に基づいて、前記フィードバック対象のアップリンク制御情報に対しチャネル符号化およびレートマッチングを行って符号化後の第１ビットシーケンスを得、前記第１ビットシーケンスを搬送するアップリンク制御チャネルを各前記目標スロットで繰り返して送信し、または、前記フィードバック対象のアップリンク制御情報の大きさが前記第１所定値より大きい場合、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って符号化後の第２ビットシーケンスを得、目標スロットに対応する第２ビットシーケンスのサブビットシーケンスを搬送するアップリンク制御チャネルを各前記目標スロットで送信する第３送信サブモジュールと、
を含む、請求項１３に記載の装置。
【請求項１９】
第２特定モジュールと、第２取得モジュールと、受信モジュールとを含むアップリンク制御チャネルの受信装置において、
第２特定モジュールは、フィードバック対象のアップリンク制御情報を送信する複数の目標スロットを特定し、
ここで、前記フィードバック対象のアップリンク制御情報が、前記目標スロットでアップリンク制御チャネルによって送信され、
第２取得モジュールは、前記目標スロットで前記フィードバック対象のアップリンク制御情報を搬送するアップリンク制御チャネルの伝送長またはフォーマットを取得し、
ここで、各前記目標スロットでアップリンク制御チャネルの伝送長またはフォーマットが同じであり、
受信モジュールは、特定された前記アップリンク制御チャネルの伝送長またはフォーマットにしたがって、前記フィードバック対象のアップリンク制御情報を搬送するアップリンク制御チャネルを各前記目標スロットで受信する、アップリンク制御チャネルの受信装置。
【請求項２０】
前記第２特定モジュールは、
予め定義された複数の目標スロットの情報に基づいて、フィードバック対象のアップリンク制御情報を送信する複数の目標スロットを特定する第４特定サブモジュールを含み、
または、
前記装置は、前記複数の目標スロットの情報を、ハイレイヤシグナリングまたは所定のダウンリンク制御チャネルで端末に送信する第１情報送信モジュールをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである、請求項１９に記載の装置。
【請求項２１】
前記第２取得モジュールは、
予めの定義に基づいて、前記目標スロットで前記フィードバック対象のアップリンク制御情報を搬送するアップリンク制御チャネルの伝送長またはフォーマットを取得する第５取得サブモジュール、または、
前記複数の目標スロットのうちの少なくとも１つの目標スロットの中のアップリンク領域の大きさ、または、少なくとも１つの目標スロットの中でアップリンク制御チャネル伝送用のアップリンク領域の大きさに基づいて、前記目標スロットで前記フィードバック対象のアップリンク制御情報を搬送するアップリンク制御チャネルの伝送長またはフォーマットを特定する第６取得サブモジュール、
を含み、
または、
前記装置は、前記目標スロットで前記フィードバック対象のアップリンク制御情報を搬送するアップリンク制御チャネルの伝送長またはフォーマットを、ハイレイヤシグナリングまたは所定のダウンリンク制御チャネルで端末に送信する第２情報送信モジュールをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである、請求項１９に記載の装置。
【請求項２２】
前記受信モジュールは、
特定された前記アップリンク制御チャネルの伝送長またはフォーマットに基づいて、前記アップリンク制御チャネルの中のアップリンク制御情報と参照信号の伝送構造を特定する伝送構造特定サブモジュールと、
前記伝送構造に基づいて、前記フィードバック対象のアップリンク制御情報と参照信号を搬送する前記アップリンク制御チャネルを各前記目標スロットで受信する第１受信サブモジュールと、
を含む、請求項１９に記載の装置。
【請求項２３】
予め取り決められたルールに基づいて、１つまたは複数の目標スロットで前記アップリンク制御チャネルの開始位置および／または終了位置を特定する第３位置特定モジュールをさらに含み、
または、
前記装置は、特定された１つまたは複数の目標スロットで前記アップリンク制御チャネルの開始位置および／または終了位置を、所定のダウンリンク制御チャネルで端末に送信する第３情報送信モジュールをさらに含み、
ここで、前記所定のダウンリンク制御チャネルは、前記アップリンク制御チャネルでアップリンク制御情報のフィードバックが行われるダウンリンク共有チャネルに対応するダウンリンク制御チャネル、前記アップリンク制御チャネルでアップリンク制御情報のフィードバックが行われてダウンリンク半持続性スケジューリングリソースのリリースを指示するダウンリンク制御チャネル、および、目標スロットのスロット構造を指示するためのマルチキャストダウンリンク制御チャネルのうちの少なくとも１つである、請求項２２に記載の装置。
【請求項２４】
前記受信モジュールは、
前記フィードバック対象のアップリンク制御情報の大きさが第１所定値以下である場合、端末が前記フィードバック対象のアップリンク制御情報を変調して得た変調シンボルを搬送するアップリンク制御チャネルを各前記目標スロットで受信する第２受信サブモジュールと、
前記フィードバック対象のアップリンク制御情報の大きさが前記第１所定値より大きい場合、第１ビットシーケンスを搬送するアップリンク制御チャネルを各前記目標スロットで受信し、または、前記フィードバック対象のアップリンク制御情報の大きさが前記第１所定値より大きい場合、目標スロットに対応する第２ビットシーケンスのサブビットシーケンスを搬送するアップリンク制御チャネルを各前記目標スロットで受信する第３受信サブモジュールと、
を含み、
ここで、前記第１ビットシーケンスは、端末が、前記アップリンク制御チャネルで前記アップリンク制御情報を搬送するシンボル数に基づいて、前記フィードバック対象のアップリンク制御情報に対しチャネル符号化およびレートマッチングを行って得た符号化後のビットシーケンスであり、
前記第２ビットシーケンスは、端末が、前記アップリンク制御チャネルで前記アップリンク制御情報を搬送するシンボル数および前記目標スロットの数に基づいて、前記フィードバック対象のアップリンク制御情報に対しチャネル符号化およびレートマッチングを行って得た符号化後のビットシーケンスである、請求項１９に記載の装置。
【国際調査報告】
2020523884.tif 000012
2020523884.tif 000013
2020523884.tif 000014
2020523884.tif 000015
2020523884.tif 000016